(57)【要約】ＭＭＴフォーマットデータをＢＤＡＶフォーマットデータとしてメディアに記録し、録画コンテンツリストの表示処理や、ＢＤＡＶ対応アプリによる再生を可能とする。放送波等を介して入力するＭＭＴフォーマットデータから、ＢＤＡＶフォーマット規定のプレイリストやクリップ情報ファイルの記録用データを抽出して、これらのデータファイルを生成する。例えば録画コンテンツリストの表示に適用するデータを、ＭＭＴフォーマットデータのＭＭＴ−ＳＩやＴＬＶ−ＳＩから抽出し、プレイリストやクリップ情報ファイルに記録する。
2018016294.tif 000002
【特許請求の範囲】
【請求項１】
ＭＭＴフォーマットデータを入力し、情報記録媒体に対するデータ記録フォーマットであるＢＤＡＶフォーマットに従った記録データを生成するデータ処理部を有し、
前記データ処理部は、
入力するＭＭＴフォーマットデータから、ＢＤＡＶフォーマット規定のデータベースファイル記録用データを抽出して、データベースファイルを生成する情報処理装置。
【請求項２】
前記データ処理部は、
前記情報記録媒体に対する記録コンテンツのリストである録画コンテンツリストの表示処理に適用するデータを、ＭＭＴフォーマットデータから抽出し、ＢＤＡＶフォーマット規定のデータベースファイルに記録する処理を実行する請求項１に記載の情報処理装置。
【請求項３】
前記データ処理部は、
ＭＭＴフォーマットデータに含まれるシグナリング・メッセージから、ＢＤＡＶフォーマット規定のデータベースファイル記録用データを抽出して、データベースファイルを生成する請求項１に記載の情報処理装置。
【請求項４】
前記シグナリング・メッセージは、
ＭＭＴフォーマット規定のＭＭＴ−ＳＩ、またはＴＬＶ−ＳＩである請求項３に記載の情報処理装置。
【請求項５】
前記データベースファイルは、プレイリストファイル、またはクリップ情報ファイルである請求項１に記載の情報処理装置。
【請求項６】
前記データ処理部は、
ＭＭＴフォーマットデータの構成データである、
（ａ）ＴＬＶ用ネットワーク情報テーブル（ＴＬＶ−ＮＩＴ）、
（ｂ）イベント情報テーブル（ＭＨ−ＥＩＴ）、
（ｃ）ブロードキャスタ情報テーブル（ＭＨ−ＢＩＴ）、
上記各テーブルから、ＢＤＡＶフォーマット規定のデータベースファイルであるプレイリストファイルの記録用データを抽出して、プレイリストファイルを生成する請求項１に記載の情報処理装置。
【請求項７】
前記データ処理部は、
前記テーブル（ａ）〜（ｃ）から、前記情報記録媒体記録コンテンツの情報である録画日時、チャンネル番号、チャンネル名、録画番組名、録画番組詳細の少なくともいずれかの情報を取得して、前記プレイリストファイルに記録する請求項６に記載の情報処理装置。
【請求項８】
前記データ処理部は、
ＭＭＴフォーマットデータの構成データである、ＭＭＴパッケージテーブル（ＭＰＴ）から、ＢＤＡＶフォーマット規定のデータベースファイルであるクリップ情報ファイルの記録用データを抽出して、クリップ情報ファイルを生成する請求項１に記載の情報処理装置。
【請求項９】
前記データ処理部は、
前記ＭＭＴパッケージテーブル（ＭＰＴ）から、前記情報記録媒体記録コンテンツの情報である画像属性情報、音声属性情報の少なくともいずれかの情報を取得して、前記プレイリストファイルに記録する請求項８に記載の情報処理装置。
【請求項１０】
前記画像属性情報は、
画像フォーマット、解像度、フレームレート、アスペクト比、映像信号伝達特性の少なくともいずれかの情報を含み、
前記音声属性情報は、
音声タイプ、サンプリング周波数の少なくともいずれかの情報を含む請求項９に記載の情報処理装置。
【請求項１１】
情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記データ処理部は、
ＢＤＡＶフォーマット規定のデータベースファイルであるプレイリストファイルとクリップ情報ファイルの記録情報を取得して、録画コンテンツリストを生成する構成であり、
前記データ処理部は、
前記録画コンテンツリストの出力データとして、前記ＭＭＴフォーマットデータに含まれるシグナリング・メッセージからの抽出データを出力する情報処理装置。
【請求項１２】
前記録画コンテンツリストの出力データは、
ＭＭＴフォーマットデータの構成データである、
（ａ）ＴＬＶ用ネットワーク情報テーブル（ＴＬＶ−ＮＩＴ）、
（ｂ）イベント情報テーブル（ＭＨ−ＥＩＴ）、
（ｃ）ブロードキャスタ情報テーブル（ＭＨ−ＢＩＴ）、
（ｄ）ＭＭＴパッケージテーブル（ＭＰＴ）
上記テーブルいずれかからの抽出データである請求項１１に記載の情報処理装置。
【請求項１３】
前記情報記録媒体は、
再生対象データを格納したストリームファイルとして、
ＭＰＥＧ−２ＴＳフォーマットデータを格納したストリームファイルと、
ＭＭＴフォーマットデータを格納したストリームファイルを有し、
前記データ処理部は、
ＢＤＡＶフォーマットにおいて規定されたプレイリストファイルとクリップ情報ファイルを適用して、
ＭＰＥＧ−２ＴＳフォーマットデータを格納したストリームファイル、および、ＭＭＴフォーマットデータを格納したストリームファイルの再生処理を実行する請求項１１に記載の情報処理装置。
【請求項１４】
情報処理装置において実行する情報処理方法であり、
前記情報処理装置は、
ＭＭＴフォーマットデータを入力し、情報記録媒体に対するデータ記録フォーマットであるＢＤＡＶフォーマットに従った記録データを生成するデータ処理部を有し、
前記データ処理部は、
入力するＭＭＴフォーマットデータから、ＢＤＡＶフォーマット規定のデータベースファイル記録用データを抽出して、データベースファイルを生成する情報処理方法。
【請求項１５】
情報処理装置において実行する情報記録媒体製造方法であり、
前記情報処理装置は、
ＭＭＴフォーマットデータを入力し、情報記録媒体に対するデータ記録フォーマットであるＢＤＡＶフォーマットに従った記録データを生成するデータ処理部を有し、
前記データ処理部は、
入力するＭＭＴフォーマットデータから、ＢＤＡＶフォーマット規定のデータベースファイル記録用データを抽出して、データベースファイルを生成し、
前記データベースファイルを記録した情報記録媒体を製造する情報記録媒体製造方法。
【請求項１６】
情報処理装置において実行する情報処理方法であり、
前記情報処理装置は、
情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記データ処理部は、
ＢＤＡＶフォーマット規定のデータベースファイルであるプレイリストファイルとクリップ情報ファイルの記録情報を取得して、録画コンテンツリストを生成し、
前記録画コンテンツリストの出力データとして、前記ＭＭＴフォーマットデータに含まれるシグナリング・メッセージからの抽出データを出力する情報処理方法。
【請求項１７】
情報処理装置において実行する情報処理を実行させるプログラムであり、
前記情報処理装置は、
ＭＭＴフォーマットデータを入力し、情報記録媒体に対するデータ記録フォーマットであるＢＤＡＶフォーマットに従った記録データを生成するデータ処理部を有し、
前記プログラムは、前記データ処理部に、
入力するＭＭＴフォーマットデータから、ＢＤＡＶフォーマット規定のデータベースファイル記録用データを抽出して、データベースファイルを生成する処理を実行させるプログラム。
【請求項１８】
情報処理装置において実行する情報処理を実行させるプログラムであり、
前記情報処理装置は、
情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記プログラムは、前記データ処理部に、
ＢＤＡＶフォーマット規定のデータベースファイルであるプレイリストファイルとクリップ情報ファイルの記録情報を取得して、録画コンテンツリストを生成させ、
前記録画コンテンツリストの出力データとして、前記ＭＭＴフォーマットデータに含まれるシグナリング・メッセージからの抽出データを出力させるプログラム。
【発明の詳細な説明】
【技術分野】
【０００１】
本開示は、情報処理装置、および情報処理方法、並びにプログラムに関する。さらに詳細には、放送波等における今後のデータ伝送規格として規格化が進められているＭＭＴ（ＭＰＥＧ  Ｍｅｄｉａ  Ｔｒａｎｓｐｏｒｔ）フォーマットデータを入力して、メディアに記録し、再生可能とする情報処理装置、および情報処理方法、並びにプログラムに関する。
【背景技術】
【０００２】
現在、４Ｋ画像や８Ｋ画像等の放送等、高画質画像のデータ伝送を実現するための規格化が進められており、その一つとして、ＭＭＴ（ＭＰＥＧ  Ｍｅｄｉａ  Ｔｒａｎｓｐｏｒｔ）フォーマットを利用したデータ配信方式についての検討が進められている。【０００３】
ＭＭＴフォーマットは、画像（Ｖｉｄｅｏ）、音声（Ａｕｄｉｏ）、字幕（Ｓｕｂｔｉｔｌｅ）等、コンテンツを構成する符号化データを放送波やネットワークを介して伝送するためのデータ転送方式（トランスポートフォーマット）を規定したものである。
ＭＭＴフォーマットは、画像（Ｖｉｄｅｏ）、音声（Ａｕｄｉｏ）、字幕（Ｓｕｂｔｉｔｌｅ）等のコンテンツの伝送フォーマットであり、例えば４Ｋ画像、高ダイナミックレンジ（ＨＤＲ：ＨｉｇｈＤｙｎａｍｉｃ  Ｒａｎｇｅ）画像等の次世代コンテンツの放送等に利用される予定となっている。【０００４】
一方、画像（Ｖｉｄｅｏ）、音声（Ａｕｄｉｏ）、字幕（Ｓｕｂｔｉｔｌｅ）等からなるコンテンツの記録再生に利用される情報記録媒体（メディア）として、例えばＢＤ（Ｂｌｕ−ｒａｙ（登録商標）  Ｄｉｓｃ）やフラッシュメモリがある。これらの情報記録媒体で利用される現行のデータフォーマットとして、ＭＰＥＧ−２ＴＳフォーマットが知られている。【０００５】
ＭＭＴフォーマットに従った配信データを受信して、受信データをＢＤやフラッシュメモリに記録する場合、画像、音声、字幕データ等の再生対象コンテンツについては、ＭＭＴフォーマットをＭＰＥＧ−２ＴＳフォーマットに変換して記録する方法と、ＭＭＴフォーマットのまま記録する方法の両者について可能性があり、現在、検討課題となっている。【０００６】
しかし、例えばＢＤ（Ｂｌｕ−ｒａｙ（登録商標）  Ｄｉｓｃ）やフラッシュメモリ等のメディアから、画像、音声、字幕等のコンテンツを再生する場合には、これらのコンテンツの再生処理を行なうための再生制御情報やインデックス情報が必要となる。これらの再生制御情報やインデックス情報は一般的にデータベースファイルと呼ばれる。【０００７】
これらの再生制御情報やインデックス情報は、メディアの記録データの再生処理を実行する再生アプリケーションに応じて異なるものとなる。
例えば、現行の記録再生アプリケーション規格（フォーマット）としてＢＤＭＶやＢＤＡＶ規格（フォーマット）がある。これらのアプリケーション規格は、主にＢＤ（Ｂｌｕ−ｒａｙ（登録商標）  Ｄｉｓｃ）を利用したデータ記録再生アプリケーション規格として策定されたものである。【０００８】
なお、ＢＤＭＶやＢＤＡＶは、主にＢＤを利用したデータ記録再生のアプリケーション規格であるが、これらの規格はＢＤに限らず、フラッシュメモリなど、その他のＢＤ以外のメディアを利用したデータ記録再生にも適用可能である。
ＢＤを利用したデータ記録再生処理構成については、例えば特許文献１（特開２０１１−０２３０７１号公報）等に記載がある。【０００９】
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。【００１０】
上述のＭＭＴフォーマットに従った配信コンテンツを情報記録媒体（メディア）に記録し、メディアからのコンテンツ再生処理を、ＢＤＡＶフォーマット対応の再生アプリケーションを利用して行なうためには、このＢＤＡＶフォーマットに従ってデータ記録を行うことが必要である。
前述のように、ＢＤＡＶフォーマットは、再生制御情報の記録ファイルとして、プレイリストファイルやクリップ情報ファイル等のデータベースファイルを規定しており、ＢＤＡＶ対応再生アプリケーションはこれらの再生制御情報ファイル（データベースファイル）の記録情報を参照してデータ再生処理を実行する。【００１１】
しかし、ＭＭＴフォーマットに従って配信されるデータには、このＢＤＡＶフォーマットで規定するプレイリストファイルやクリップ情報ファイルが含まれていない。
従って、このＭＭＴフォーマットデータをメディアに記録して、ＢＤＡＶフォーマット対応アプリを利用してコンテンツ再生を行うためには、ＢＤＡＶフォーマットの規定するプレイリストファイルやクリップ情報ファイルを生成してメディアに記録する処理が必要となる。
しかし、この処理については、現時点で具体化されていないというのが現状である。
【先行技術文献】
【特許文献】
【００１２】
【特許文献１】特開２０１１−０２３０７１号公報
【発明の概要】
【発明が解決しようとする課題】
【００１３】
本開示は、例えば、上記の問題点に鑑みてなされたものであり、ＭＭＴフォーマットに従った配信データを入力して、ＢＤＡＶフォーマットに規定されたデータベースファイルを生成してメディアに記録して、これらのデータベースファイルを利用してメディア記録コンテンツを再生可能とする情報処理装置、および情報処理方法、並びにプログラムを提供することを目的とする。【００１４】
さらに、本開示の一実施例の構成においては、ＭＭＴフォーマットに従った配信データを入力して、ＢＤＡＶフォーマットに規定されたデータベースファイルを生成してメディアに記録し、データベースファイルを利用して録画コンテンツリストを出力可能とする情報処理装置、および情報処理方法、並びにプログラムを提供することを目的とする。
【課題を解決するための手段】
【００１５】
本開示の第１の側面は、
ＭＭＴフォーマットデータを入力し、情報記録媒体に対するデータ記録フォーマットであるＢＤＡＶフォーマットに従った記録データを生成するデータ処理部を有し、
前記データ処理部は、
入力するＭＭＴフォーマットデータから、ＢＤＡＶフォーマット規定のデータベースファイル記録用データを抽出して、データベースファイルを生成する情報処理装置にある。【００１６】
さらに、本開示の第２の側面は、
情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記データ処理部は、
ＢＤＡＶフォーマット規定のデータベースファイルであるプレイリストファイルとクリップ情報ファイルの記録情報を取得して、録画コンテンツリストを生成する構成であり、
前記データ処理部は、
前記録画コンテンツリストの出力データとして、前記ＭＭＴフォーマットデータに含まれるシグナリング・メッセージからの抽出データを出力する情報処理装置にある。【００１７】
さらに、本開示の第３の側面は、
情報処理装置において実行する情報処理方法であり、
前記情報処理装置は、
ＭＭＴフォーマットデータを入力し、情報記録媒体に対するデータ記録フォーマットであるＢＤＡＶフォーマットに従った記録データを生成するデータ処理部を有し、
前記データ処理部は、
入力するＭＭＴフォーマットデータから、ＢＤＡＶフォーマット規定のデータベースファイル記録用データを抽出して、データベースファイルを生成する情報処理方法にある。【００１８】
さらに、本開示の第４の側面は、
情報処理装置において実行する情報処理方法であり、
前記情報処理装置は、
情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記データ処理部は、
ＢＤＡＶフォーマット規定のデータベースファイルであるプレイリストファイルとクリップ情報ファイルの記録情報を取得して、録画コンテンツリストを生成し、
前記録画コンテンツリストの出力データとして、前記ＭＭＴフォーマットデータに含まれるシグナリング・メッセージからの抽出データを出力する情報処理方法にある。【００１９】
さらに、本開示の第５の側面は、
情報処理装置において実行する情報処理を実行させるプログラムであり、
前記情報処理装置は、
ＭＭＴフォーマットデータを入力し、情報記録媒体に対するデータ記録フォーマットであるＢＤＡＶフォーマットに従った記録データを生成するデータ処理部を有し、
前記プログラムは、前記データ処理部に、
入力するＭＭＴフォーマットデータから、ＢＤＡＶフォーマット規定のデータベースファイル記録用データを抽出して、データベースファイルを生成する処理を実行させるプログラムにある。【００２０】
さらに、本開示の第６の側面は、
情報処理装置において実行する情報処理を実行させるプログラムであり、
前記情報処理装置は、
情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記プログラムは、前記データ処理部に、
ＢＤＡＶフォーマット規定のデータベースファイルであるプレイリストファイルとクリップ情報ファイルの記録情報を取得して、録画コンテンツリストを生成させ、
前記録画コンテンツリストの出力データとして、前記ＭＭＴフォーマットデータに含まれるシグナリング・メッセージからの抽出データを出力させるプログラムにある。【００２１】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２２】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２３】
本開示の一実施例の構成によれば、ＭＭＴフォーマットデータをＢＤＡＶフォーマットデータとしてメディアに記録し、録画コンテンツリストの表示処理や、ＢＤＡＶ対応アプリによる再生を可能とする構成が実現される。
具体的には、例えば、放送波等を介して入力するＭＭＴフォーマットデータから、ＢＤＡＶフォーマット規定のプレイリストやクリップ情報ファイルの記録用データを抽出して、これらのデータファイルを生成する。例えば録画コンテンツリストの表示に適用するデータを、ＭＭＴフォーマットデータのＭＭＴ−ＳＩやＴＬＶ−ＳＩから抽出し、プレイリストやクリップ情報ファイルに記録する。
本構成により、ＭＭＴフォーマットデータをＢＤＡＶフォーマットデータとしてメディアに記録し、録画コンテンツリストの表示処理や、ＢＤＡＶ対応アプリによる再生を可能とする構成が実現される。
なお、本明細書に記載された効果はあくまで例示であって限定されるものではなく、また付加的な効果があってもよい。
【図面の簡単な説明】
【００２４】
【図１】本開示の処理を実行する情報処理装置の利用構成例について説明する図である。
【図２】ＭＭＴフォーマットについて説明する図である。
【図３】ＭＭＴフォーマットに従った画像データ格納構成例について説明する図である。
【図４】ＢＤＡＶフォーマットについて説明する図である。
【図５】ＢＤＡＶフォーマットに従ったデータ再生処理例について説明する図である。
【図６】ＭＰＥＧ−２ＴＳフォーマットについて説明する図である。
【図７】ＭＭＴフォーマットについて説明する図である。
【図８】ＭＭＴフォーマットデータを、ＢＤＡＶフォーマットデータとして記録する場合の処理例について説明する図である。
【図９】録画コンテンツリストの表示データ例について説明する図である。
【図１０】プレイリストファイルのデータ構成について説明する図である。
【図１１】ユーザインタフェースアプリケーション情報（ＵＩＡｐｐＩｎｆｏＰｌａｙＬｉｓｔ）の詳細について説明する図である。
【図１２】ＭＭＴフォーマットデータの記録データをプレイリストファイルに記録する処理例について説明する図である。
【図１３】イベント情報テーブル（ＭＨ−ＥＩＴ（Ｅｖｅｎｔ  Ｉｎｆｏｒｍａｔｉｏｎ  Ｔａｂｌｅ））のデータ構成（シンタックス）を示す図である。
【図１４】ＴＬＶ用ネットワーク情報テーブル（ＴＬＶ−ＮＩＴ（Ｎｅｔｗｏｒｋ  Ｉｎｆｏｒｍａｔｉｏｎ  Ｔａｂｌｅ））のデータ構成（シンタックス）を示す図である。
【図１５】ＭＭＴフォーマットにおいて規定されたブロードキャスタ情報テーブル（ＭＨ−ＢＩＴ）の構成データであるＭＨ−ブロードキャスタ名記述子のデータ構成（シンタックス）を示す図である。
【図１６】イベント情報テーブル（ＭＨ−ＥＩＴ）中に記録される「ＭＨ―ショートイベント記述子（ＭＨ−Ｓｈｏｒｔ＿Ｅｖｅｎｔ＿Ｄｅｓｃｒｉｐｔｏｒ）」のデータ構成（シンタックス）を示す図である。
【図１７】クリップ情報ファイルのデータ構成（シンタクス）を示す図である。
【図１８】クリップ情報ファイルのプログラム情報［ＰｒｏｇｒａｍＩｎｆｏ（）］のデータ構成（シンタクス）を示す図である。
【図１９】クリップ情報ファイルのコーディング情報のデータ構成例について説明する図である。
【図２０】ＢＤＡＶフォーマットで規定された画像ストリームや、音声ストリームのコーディングタイプの設定例を示す図である。
【図２１】ＨＥＶＣ画像データについてのストリームコーディング情報［ＳｔｒｅａｍＣｏｄｉｎｇＩｎｆｏ］記録データの例について説明する図である。
【図２２】クリップ情報ファイルのビデオフォーマット（ｖｉｄｅｏ＿ｆｏｒｍａｔ）のデータ記録例について説明する図である。
【図２３】クリップ情報ファイルのフレームレート（ｆｒａｍｅ  ｒａｔｅ）のデータ記録例について説明する図である。
【図２４】クリップ情報ファイルのアスペクト比（ａｓｐｅｃｔ＿ｒａｔｉｏ）のデータ記録例について説明する図である。
【図２５】クリップ情報ファイルの音声情報のデータ記録例について説明する図である。
【図２６】ＭＭＴフォーマットデータの記録データをクリップ情報ファイルに記録する処理例について説明する図である。
【図２７】ＭＭＴパッケージテーブル（ＭＰＴ）のデータ構成（シンタクス）を示す図である。
【図２８】ＭＭＴパッケージテーブル（ＭＰＴ）に記録されるアセットタイプ（ａｓｓｅｔ＿ｔｙｐｅ）の具体例について説明する図である。
【図２９】ＭＭＴパッケージテーブル（ＭＰＴ）に記録される画像属性情報を示す図である。
【図３０】ＭＭＴパッケージテーブル（ＭＰＴ）に記録される（Ｍ６）解像度（ｖｉｄｅｏ＿ｒｅｓｏｌｕｔｉｏｎ）の具体例を示す図である。
【図３１】ＭＭＴパッケージテーブル（ＭＰＴ）に記録される（Ｍ８）フレームレート（ｖｉｄｅｏ＿ｆｒａｍｅ＿ｒａｔｅ）の具体例を示す図である。
【図３２】ＭＭＴパッケージテーブル（ＭＰＴ）に記録される（Ｍ９）アスペクト比（ｖｉｄｅｏ＿ａｓｐｅｃｔ＿ｒａｔｉｏ）の具体例を示す図である。
【図３３】ＭＭＴパッケージテーブル（ＭＰＴ）に記録される（Ｍ１０）映像信号伝達特性（ｖｉｄｅｏ＿ｔｒａｎｓｆｅｒ＿ｃｈａｒａｃｔｅｒｉｓｔｉｃｓ）の具体例を示す図である。
【図３４】ＭＭＴパッケージテーブル（ＭＰＴ）に記録される音声属性情報を示す図である。
【図３５】ＭＭＴパッケージテーブル（ＭＰＴ）に記録される（Ｍ１１）ストリームコンテンツ情報の具体例を示す図である。
【図３６】ＭＭＴパッケージテーブル（ＭＰＴ）に記録される（Ｍ１２）コンポーネントタイプの具体例を示す図である。
【図３７】ＭＭＴパッケージテーブル（ＭＰＴ）に記録される（Ｍ１３）サンプリング周波数の具体例を示す図である。
【図３８】情報記録媒体（メディア）に対するデータ記録処理を実行する情報処理装置の構成例についてを説明する図である。
【図３９】情報記録媒体（メディア）に対するデータ記録処理の処理シーケンスを説明するフローチャートを示す図である。
【図４０】情報記録媒体（メディア）に対するデータ記録処理の処理シーケンスを説明するフローチャートを示す図である。
【図４１】情報記録媒体（メディア）に対するデータ記録処理の処理シーケンスを説明するフローチャートを示す図である。
【図４２】情報記録媒体（メディア）からのデータ再生処理を実行する情報処理装置の構成例についてを説明する図である。
【図４３】情報記録媒体（メディア）からのデータ再生処理の処理シーケンスを説明するフローチャートを示す図である。
【図４４】本開示の処理に適用される報処理装置のハードウェア構成例について説明する図である。
【発明を実施するための形態】
【００２５】
以下、図面を参照しながら本開示の情報処理装置、および情報処理方法、並びにプログラムの詳細について説明する。なお、説明は以下の項目に従って行なう。
１．通信システムの構成例について
２．ＭＭＴ（ＭＰＥＧ  Ｍｅｄｉａ  Ｔｒａｎｓｐｏｒｔ）フォーマットについて
３．ＢＤＡＶフォーマットについて
４．ＭＭＴフォーマットデータをＢＤＡＶフォーマットに従って記録する場合の処理について
５．プレイリストファイルに対する録画コンテンツ属性データの記録例について
５−１．（Ｐ１）録画日時（ｒｅｃｏｒｄ＿ｔｉｍｅ＿ａｎｄ＿ｄａｔｅ）の記録処理例
５−２．（Ｐ２）チャンネル番号（ｃｈａｎｎｅｌ＿ｎｕｍｂｅｒ）の記録処理例
５−３．（Ｐ３）チャンネル名（ｃｈａｎｎｅｌ＿ｎａｍｅ）の記録処理例
５−４．（Ｐ４）録画番組名（Ｐｌａｙｌｉｓｔ＿ｎａｍｅ）と、（Ｐ５）録画番組詳細（Ｐｌａｙｌｉｓｔ＿ｄｅｔａｉｌ）の記録処理例
６．クリップ情報ファイルに対する録画コンテンツ属性データの記録例について
６−１．ＭＭＴパッケージテーブル（ＭＰＴ：ＭＭＴ  Ｐａｃｋａｇｅ  Ｔａｂｌｅ）について
６−２．クリップ情報ファイルに対する画像属性情報の記録処理例
６−３．クリップ情報ファイルに対する音声属性情報の記録処理例
７．情報記録媒体に対するデータ記録処理を実行する情報処理装置の構成と処理について
８．情報記録媒体からのデータ再生処理を実行する情報処理装置の構成と処理について
９．情報処理装置の構成例について
１０．本開示の構成のまとめ
【００２６】
［１．通信システムの構成例について］
まず、図１を参照して本開示の処理を実行する情報処理装置の一つの利用構成例である通信システムの例について説明する。
図１に示す情報処理装置３０は、ＢＤ（Ｂｌｕ−ｒａｙ（登録商標）  Ｄｉｓｃ）や、フラッシュメモリ、ハードディスク（ＨＤＤ）などのメディアを装着し、これらの装着メディアに対するデータ記録処理や、装着メディアからのデータ再生処理を実行する。
【００２７】
情報処理装置３０がメディアに記録するデータは、例えば放送局（放送サーバ）２１や、データ配信サーバ２２等の送信装置２０の提供する送信コンテンツである。具体的には、テレビ局の提供する放送番組等である。
これらの送信コンテンツは、放送波、あるいはインターネット等のネットワークを介して送信装置２０から情報処理装置３０に送信される。
【００２８】
情報処理装置３０は、例えばＢＤプレーヤ３１、テレビ３２、ＰＣ３３、携帯端末３４等である、これらの情報処理装置は、例えば、ＢＤ（Ｂｌｕ−ｒａｙ（登録商標）  Ｄｉｓｃ）４１、ＨＤＤ（ハードディスク）４２、フラッシュメモリ４３等の様々なメディアを装着し、これらのメディアに対するデータ記録処理や、メディアからのデータ再生処理を実行する。
【００２９】
送信装置２０から情報処理装置３０に対するデータ送信は、ＭＭＴ（ＭＰＥＧ  Ｍｅｄｉａ  Ｔｒａｎｓｐｏｒｔ）フォーマットに従って実行される。
ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランンスポートフォーマット）を規定したものである。
【００３０】
送信装置２０は、コンテンツデータを符号化し、符号化データおよび符号化データのメタデータを含むデータファイルを生成し、生成した符号化データをＭＭＴにおいて規定されるＭＭＴＰ（ＭＭＴ  Ｐｒｏｔｏｃｏｌ）パケットに格納して放送波、またはネットワークを介して送信する。
【００３１】
送信装置２０が情報処理装置３０に提供するデータは、画像、音声、字幕等の再生対象データの他、番組ガイド等の案内情報や通知情報、制御情報等によって構成される。
【００３２】
［２．ＭＭＴ（ＭＰＥＧ  Ｍｅｄｉａ  Ｔｒａｎｓｐｏｒｔ）フォーマットについて］
上述したように、送信装置２０から情報処理装置３０に対するデータ送信は、ＭＭＴ（ＭＰＥＧ  Ｍｅｄｉａ  Ｔｒａｎｓｐｏｒｔ）フォーマットに従って実行される。
図２以下を参照して、ＭＭＴ（ＭＰＥＧ  Ｍｅｄｉａ  Ｔｒａｎｓｐｏｒｔ）フォーマットについて説明する。
【００３３】
図２は、ＭＭＴフォーマットのスタック・モデルを示す図である。
図２に示すＭＭＴスタック・モデルにおいて、最下層には、物理レイヤ（ＰＨＹ）がある。物理レイヤは、放送系の処理を行なうブロードキャスト（Ｂｒｏａｄｃａｓｔｉｎｇ）レイヤと、ネットワーク系の処理を行なうブロードバンド（Ｂｒｏａｄｂａｎｄ）レイヤに分割されている。
ＭＭＴは放送系、ネットワーク系の２つの通信網を利用した処理を可能としている。
【００３４】
物理レイヤ（ＰＨＹ）の上位レイヤとして、ＴＬＶ（Ｔｙｐｅ  Ｌｅｎｇｔｈ  Ｖａｌｕｅ）レイヤがある。ＴＬＶはＩＰパケットの多重化方式を規定したフォーマット規定レイヤである。複数のＩＰパケットが多重化されてＴＬＶパケットとして送信される。ＴＬＶ−ＳＩは、ＴＬＶフォーマットに従ったシグナリング・メッセージの伝送レイヤである。
【００３５】
シグナリング・メッセージは、情報処理装置３０側においてコンテンツ（番組）を受信するために必要となる設定情報や、番組ガイド等の案内情報や通知情報、制御情報等によって構成される。
ＴＬＶレイヤで処理が生成されるＴＬＶパケットに格納されるシグナリング・メッセージがＴＬＶ−ＳＩであり、ＭＭＴプロトコルに従って生成されるパケットであるＭＭＴＰパケットに格納されるシグナリング・メッセージは最上位レイヤに示すＭＭＴ−ＳＩである。
【００３６】
ＴＬＶレイヤ上には、ＵＤＰ／ＩＰレイヤが設定される。
ＵＤＰ／ＩＰレイヤは、詳細にはＩＰレイヤとＵＤＰレイヤに分割可能であるが、ＩＰパケットのペイロードにＵＤＰパケットを格納する伝送を規定するレイヤである。
ＵＤＰ／ＩＰレイヤ上にＭＭＴレイヤ、およびＦｉｌｅ  ｄｅｌｉｖｅｒｙ  ｍｅｔｈｏｄレイヤ  が設定される。
ＭＭＴＰパケットをＩＰパケットに格納して送信する場合と、ＭＭＴＰパケットを用いないデータ伝送方式であるＦｉｌｅ  ｄｅｌｉｖｅｒｙ  ｍｅｔｈｏｄを利用してＩＰパケットとしてデータ送信する方式が併用可能な設定となっている。
【００３７】
ＭＭＴレイヤ上には、以下のレイヤが設定される。
画像符号化規格であるＨＥＶＣ（Ｈｉｇｈ  Ｅｆｆｉｃｉｅｎｃｙ  Ｖｉｄｅｏ  Ｃｏｄｉｎｇ）に従った符号化画像データである画像（Ｖｉｄｅｏ）データ、
音声符号化規格であるＡＡＣ（Ａｄｖａｎｃｅｄ  Ａｕｄｉｏ  Ｃｏｄｉｎｇ）に従った符号化音声データである音声（Ａｕｄｉｏ）データ、
字幕符号化規格であるＴＴＭＬ（Ｔｉｍｅｄ  Ｔｅｘｔ  Ｍａｒｋｕｐ  Ｌａｎｇｕａｇｅ）に従った符号化字幕データである字幕（Ｓｕｂｔｉｔｌｅ）データ、
ＭＭＴＰパケットを利用して送信されるシグナリング・メッセージ（ＭＭＴ−ＳＩ）、
さらに、ＨＴＭＬ５（Ｈｙｐｅｒ  Ｔｅｘｔ  Ｍａｒｋｕｐ  Ｌａｎｇｕａｇｅ  ５）に従って記述された様々なアプリケーション、
これらの各データがＭＭＴＰパケットに格納されて送信される。
【００３８】
シグナリング・メッセージ（ＭＭＴ−ＳＩ）は、ＭＭＴＰパケットで送信されるシグナリング・メッセージであり、情報処理装置３０側においてコンテンツ（番組）を受信するために必要となる設定情報や、番組ガイド等の案内情報や通知情報、制御情報等によって構成される。
【００３９】
なお、時刻情報（ＮＴＰ：Ｎｅｔｗｏｒｋ  Ｔｉｍｅ  Ｐｒｏｔｏｃｏｌ）は絶対時刻情報であり、ＵＤＰパケットに直接格納され送信される。
その他のデータ配信を行うデータサービス（Ｄａｔａ  ｓｅｒｖｉｃｅ）、コンテンツダウンロード等（Ｃｏｎｔｅｎｔｄｏｗｎｌｏａｄ，ｅｔｃ．）がＭＭＴと異なるファイル配信メソッド（Ｆｉｌｅ  ｄｅｌｉｖｅｒｙ  ｍｅｔｈｏｄ）を利用して配信可能な構成を有している。
【００４０】
図２に示すように、画像、音声、字幕、さらに、様々な通知情報や制御情報を含むシグナリング・メッセージ（ＭＭＴ−ＳＩ）やアプリケーションは、ＭＭＴＰパケットによって送信される。
【００４１】
図３を参照してＭＭＴＰパケットの具体的構成例について説明する。
図３には以下の４種類のデータ構成例を示している。
（ａ）ＭＰＵ（Ｍｅｄｉａ  Ｐｒｅｓｅｎｔａｔｉｏｎ  Ｕｎｉｔ）
（ｂ）ＭＭＴＰペイロート
（ｃ）ＭＭＴＰパケット
（ｄ）ＴＬＶパケット
【００４２】
（ｄ）ＴＬＶパケットが放送波やネットワークを介して送信されるパケットであり、ＴＬＶパケットには、ＵＤＰヘッダ、ＩＰヘッダ、ＴＬＶヘッダの各ヘッダ情報が設定される。ＴＬＶパケットは、データ種類ごとに個別のパケットとして設定される。
【００４３】
すなわち、１つのＴＬＶパケットのＴＬＶペイロードには、１つの種類のデータが格納される。具体的には、例えば、画像（Ｖ）、音声（Ａ）、字幕（Ｓ）、ＭＭＴＰパケットに格納するシグナリング・メッセージ（ＭＭＴ−ＳＩ）、ＴＬＶパケットで送信されるシグナリング・メッセージ（ＴＬＶ−ＳＩ）、これらいずれか一種類のデータが、個別のＴＬＶパケットに格納される。
【００４４】
ＴＬＶパケットのペイロードであるＴＬＶペイロートの一例が、図３（ｃ）に示すＭＭＴＰパケットである。
図３（ｃ）に示すＭＭＴＰパケットは、ＭＭＴＰヘッダと、ＭＭＴＰペイロードによって構成される。
【００４５】
１つのＭＭＴＰパケットのＭＭＴＰペイロードには、１つの種類のデータが格納される。具体的には、例えば、画像（Ｖ）、音声（Ａ）、字幕（Ｓ）、ＭＭＴＰパケットに格納するシグナリング・メッセージ（ＭＭＴ−ＳＩ）、これらいずれか一種類のデータが、個別のＭＭＴＰパケットに格納される。
【００４６】
図３（ａ），（ｂ）は、図３（ｃ）に示すＭＭＴＰパケットのＭＭＴＰペイロードに格納される画像データの詳細構成を示している。
図３（ｂ）は、図３（ｃ）に示すＭＭＴＰパケット中、ＭＭＴＰペイロードが画像データ（Ｖ）であるもののみを選択して示している。
図３（ｂ）に示すＭＭＴＰペイロードは、ヘッダとデータユニットによって構成される。
【００４７】
データユニットには、図３（ａ）に示すように、画像データおよび、以下の各種のパラメータが格納される。
ＡＵ  Ｄｅｌｉｍｉｔｅｒ（Ａｃｃｅｓｓ  Ｕｎｉｔ  Ｄｅｌｉｍｉｔｅｒ）
ＳＰＳ（Ｓｅｑｕｅｎｃｅ  Ｐａｒａｍｅｔｅｒ  Ｓｅｔ）
ＰＰＳ（Ｐｉｃｔｕｒｅ  Ｐａｒａｍｅｔｅｒ  Ｓｅｔ）
ＳＥＩｓ（Ｓｕｐｐｌｅｍｅｎｔａｌ  Ｅｎｈａｎｃｅｍｅｎｔ  Ｉｎｆｏｒｍａｔｉｏｎ）
これらのパラメータは、画像表示に利用されるパラメータである。
【００４８】
図３（ａ）に示すＭＰＵ（Ｍｅｄｉａ  Ｐｒｅｓｅｎｔａｔｉｏｎ  Ｕｎｉｔ）は、ＭＭＴフォーマットにおける１つのデータ処理単位である。図３（ａ）に示す例は、画像データのＭＰＵの例であり、いわゆる符号化、復号処理単位としてのＧＯＰ（Ｇｒｏｕｐ  ｏｆ  Ｐｉｃｔｕｒｅｓ）と同じ単位である。
【００４９】
このように、例えば画像データは、図３（ａ）に示すように、ＭＭＴフォーマットにおいて規定されたパラメータと画像構成データに分割され、図３（ｂ）に示すＭＭＴＰペイロードに格納され、図３（ｃ）に示すＭＭＴＰパケットとして構成される。
さらに、ＭＭＴＰパケットは、図３（ｄ）に示すＴＬＶパケットのペイロードとして設定されて、ＴＬＶパケットが放送波やネットワークを介して送信される。
【００５０】
なお、音声、字幕等の各データ、ＭＭＴ−ＳＩの各データについても、それぞれデータ種類単位のＭＭＴＰパケット、ＴＬＶパケットが設定されて送信される。
ＴＬＶ−ＳＩは、ＭＭＴＰパケットに格納されることなくＴＬＶパケットに格納されて送信される。
【００５１】
［３．ＢＤＡＶフォーマットについて］
次に、上述のＭＭＴフォーマットに従った配信コンテンツを例えばＢＤ（Ｂｌｕ−ｒａｙ（登録商標）  Ｄｉｓｃ）やフラッシュメモリ、あるいはハードディスク等のメディアに記録して再生する場合の記録データフォーマットであるＢＤＡＶフォーマットについて図４以下を参照して説明する。
【００５２】
例えばＢＤ（Ｂｌｕ−ｒａｙ（登録商標）  Ｄｉｓｃ）やフラッシュメモリ等のメディアから、画像、音声、字幕等のコンテンツを再生する場合には、これらのコンテンツの再生処理を行なうための再生制御情報やインデックス情報が必要となる。再生制御情報やインデックス情報は一般的にデータベースファイルと呼ばれる。
これらの再生制御情報やインデックス情報は、メディアの記録データの再生処理を実行する再生アプリケーションに応じて異なるものとなる。
【００５３】
前述したように、現行の記録再生アプリケーション規格（＝データ記録フォーマット）としてＢＤＭＶやＢＤＡＶ規格（データ記録フォーマット）がある。これらのアプリケーション規格は、主にＢＤ（Ｂｌｕ−ｒａｙ（登録商標）  Ｄｉｓｃ）を利用したデータ記録再生アプリケーション規格として策定されたものである。
【００５４】
なお、ＢＤＭＶやＢＤＡＶは、主にＢＤを利用したデータ記録再生のアプリケーション規格であり、データ記録フォーマット（規格）であるが、これらの規格はＢＤに限らず、フラッシュメモリなど、その他のＢＤ以外のメディアを利用したデータ記録再生にも適用可能である。
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。
【００５５】
上述のＭＭＴフォーマットに従った配信コンテンツを記録したメディアからのコンテンツ再生処理を、ＢＤＡＶフォーマット対応の再生アプリケーションを利用して行なうためには、このＢＤＡＶフォーマットに従ってデータ記録を行うことが必要である。
前述のように、ＢＤＡＶフォーマットは、再生制御情報の記録ファイルとして、プレイリストファイルやクリップ情報ファイル等を規定しており、ＢＤＡＶ対応再生アプリケーションはこれらの再生制御情報ファイル（データベースファイル）の記録情報を利用してデータ再生処理を実行する。
【００５６】
図４は、情報記録媒体（メディア）４０にＢＤＡＶフォーマットに従って記録されたデータのディレクトリ構成例を示す図である。
ディレクトリには、図４に示すように様々な管理情報、再生制御情報、再生対象データの格納ファイルが設定される。
【００５７】
管理情報ファイルは、例えば、図４に示すインフォファイル（ｉｎｆｏ）、メニューファイル（ｍｅｎｕ）、マークファイル（ｍａｒｋ）等によって構成される。これらは、主にユーザに見せるタイトルの管理情報等を格納する。
また、再生制御情報ファイルとして、
プレイリストファイル（ｐｌａｙｌｉｓｔ）、
クリップ情報ファイル（ｃｌｉｐｉｎｆ）
例えば、これらのファイルが記録される。
さらに、再生データ格納ファイルとして、クリップＡＶストリームファイル（ｓｔｒｅａｍ）が記録される。
【００５８】
プレイリストファイルは、タイトルによって指定される再生プログラムのプログラム情報に従ってコンテンツの再生順等を規定したファイルであり、例えば、再生位置情報等を記録したクリップ情報ファイルの指定情報等を有する。
クリップ情報ファイルは、プレイリストファイルによって指定されるファイルであり、クリップＡＶストリームファイルの再生位置情報等を有する。
【００５９】
クリップＡＶストリームファイルは、再生対象となるＡＶストリームデータを格納したファイルである。クリップＡＶストリームファイルは、再生対象となる画像、音声、字幕等の各データを格納したパケットによって構成される。
なお、従来の放送データや、ネットワーク配信データは、ＴＳ（Ｔｒａｎｓｐｏｒｔ  Ｓｔｒｅａｍ）パケットによって構成されたＭＰＥＧ−２ＴＳフォーマットデータであるが、今後の４Ｋ，８Ｋ画像等の高精細画像等を含むデータは前述したＭＭＴＰパケットによって構成されるＭＭＴフォーマットデータとなることが予想される。
【００６０】
図４にはクリップＡＶストリームファイル（ｓｔｒｅａｍ）として、
ＴＳパケットによって構成されたＭＰＥＧ−２ＴＳフォーマットデータからなるストリームファイル（ｎｎｎｎｎ．ｍ２ｔｓ）、
ＭＭＴＰパケットによって構成されるＭＭＴフォーマットデータ（ｎｎｎｎｎ．ｍｍｔ）、
これらの２種類のストリームファイルを示している。
【００６１】
図４に示すディレクトリ例は、情報処理装置３０が受信したデータがＭＰＥＧ−２ＴＳフォーマットデータである場合は、そのまま、ＭＰＥＧ−２ＴＳフォーマットデータとしてメディアに記録し、受信データがＭＭＴフォーマットデータである場合は、ＭＭＴフォーマットデータとしてメディアに記録する設定の場合のディレクトリ例である。
【００６２】
このディレクトリ例は一例であり、例えば、情報処理装置３０が、フォーマット変換機能を有する場合には、以下のような処理が行われる可能性もある。
受信データがＭＭＴフォーマットデータである場合、ＭＭＴフォーマットをＭＰＥＧ−２ＴＳフォーマットに変換し、メディアに記録するクリップＡＶストリームファイルを、全てＭＰＥＧ−２ＴＳフォーマットデータに統一して記録する。
【００６３】
一方、ＭＰＥＧ−２ＴＳフォーマットからＭＭＴフォーマットへのフォーマット変換を実行することにより、メディアに記録するクリップＡＶストリームファイルを全てＭＭＴフォーマットデータとするといった処理が実行される可能性もある。
これらの処理については、今後、検討されることになる。
【００６４】
管理情報ファイル、プレイリストファイル、クリップ情報ファイル、これらのデータファイルは、クリップＡＶストリームファイルに格納された再生データである画像、音声、字幕等の再生処理に適用する管理情報、再生制御情報、再生データ属性情報等を格納したファイルであり、データベースファイルと呼ばれる。
【００６５】
情報記録媒体に記録されたコンテンツを再生するシーケンスは以下の通りである。
（ａ）まず、再生アプリケーションによって管理情報ファイルから特定のタイトルを指定する。
（ｂ）指定されたタイトルに関連付けられたプレイリストが選択される。
（ｃ）選択されたプレイリストに規定されたクリップ情報によって、コンテンツ実データとしてのＡＶストリームあるいはコマンドが読み出されて、ＡＶストリームの再生や、コマンドの実行処理が行われる。
【００６６】
図５は、情報記録媒体（メディア）４０に記録される以下のデータ、すなわち、
プレイリストファイル、
クリップ情報ファイル、
クリップＡＶストリームファイル、
これらのデータの対応関係を説明する図である。
【００６７】
実際の再生対象データである画像、音声、字幕等の再生対象データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００６８】
これら複数のカテゴリのファイルは、図５に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００６９】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）、あるいはクリップファイルと呼ぶ。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００７０】
なお、クリップＡＶストリーム（Ｃｌｉｐ  ＡＶ  Ｓｔｒｅａｍ）ファイルは、ＭＰＥＧ−２ＴＳフォーマットデータである場合はＴＳパケットによって構成される。
また、ＭＭＴフォーマットデータである場合はＭＭＴＰパケットによって構成される。
【００７１】
クリップ情報（Ｃｌｉｐ  Ｉｎｆｏｒｍａｔｉｏｎ）ファイルは、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報を格納している。
【００７２】
プレイリストは、クリップ（Ｃｌｉｐ）の再生開始位置や再生終了位置に対応するアクセスポイントを時間軸上の情報であるタイムスタンプで指し示す情報を有する。
例えば、コンテンツの開始点からの再生時間経過位置を示すタイムスタンプに基づいてクリップ情報ファイルを参照して、クリップＡＶストリームファイルのデータ読み出し位置、すなわち再生開始点としてのアドレスを取得することが可能となる。
クリップ情報ファイル（Ｃｌｉｐ  Ｉｎｆｏｒｍａｔｉｏｎ  ｆｉｌｅ）は、このタイムスタンプから、クリップＡＶストリームファイル中のストリームのデコードを開始すべきアドレス情報を見つけるために利用される。
【００７３】
このように、プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００７４】
なお、再生対象データを格納したクリップＡＶストリーム（Ｃｌｉｐ  ＡＶ  Ｓｔｒｅａｍ）ファイルは、前述したように、従来型のＭＰＥＧ−２ＴＳフォーマットデータである場合はＴＳパケットによって構成される。
また、今後、利用が拡大されると予想される４Ｋ，８Ｋ画像等の高精細画像データの場合は、ＭＭＴフォーマットデータである場合はＭＭＴＰパケットによって構成される。
図６、図７を参照して、ＭＭＴフォーマットと、ＭＰＥＧ−２ＴＳフォーマットについて説明する。
【００７５】
まず、図６を参照して、ＭＰＥＧ−２ＴＳフォーマットについて説明する。
ＭＰＥＧ−２ＴＳフォーマットは画像（Ｖｉｄｅｏ）、音声（Ａｕｄｉｏ）、字幕（Ｓｕｂｔｉｔｌｅ）等、コンテンツ構成データである符号化データを記録媒体（メディア）に格納、または放送波やネットワークを介して伝送する際の符号化データ等のデータ格納形式（コンテナフォーマット）を規定したフォーマットである。
【００７６】
ＭＰＥＧ−２ＴＳフォーマットは、ＩＳＯ１３８１８−１において標準化されたフォーマットであり、例えばＢＤ（Ｂｌｕ−ｒａｙ（登録商標）  Ｄｉｓｃ）に対するデータ記録や、デジタル放送等に用いられている。
【００７７】
図６（ａ）〜（ｃ）はＭＰＥＧ−２ＴＳフォーマットデータの構成を示す図である。
最下段に示す図６（ａ）は、ＭＰＥＧ−２ＴＳのフォーマットデータの全体構成を示す図である。
図６（ａ）に示すように、ＭＰＥＧ−２ＴＳフォーマットデータは、複数のエレメンタリストリーム（Ｅｌｅｍｅｎｔａｒｙ  ｓｔｒｅａｍ）によって構成される。
エレメンタリストリーム（Ｅｌｅｍｅｎｔａｒｙ  ｓｔｒｅａｍ）は、例えば画像、音声、字幕等の１つの単位として設定されるユニットである。
【００７８】
１つのエレメンタリストリーム（Ｅｌｅｍｅｎｔａｒｙ  ｓｔｒｅａｍ）は、図２（ｂ）に示すように、１つまたは複数のＰＥＳ（Ｐａｃｋｅｔｉｚｅｄ  Ｅｌｅｍｅｎｔａｒｙ  ｓｔｒｅａｍ）パケットによって構成される。
具体的には、１つのエレメンタリストリーム（Ｅｌｅｍｅｎｔａｒｙ  ｓｔｒｅａｍ）は、ペイロードタイプ（Ｐａｙｌｏａｄ＿ｔｙｐｅ）＝０ｘ０で、かつ同じパケット識別子（Ｐａｃｋｅｔ＿ｉｄ）を持つＰＥＳパケットの１つ、または複数から構成される。
【００７９】
１つのＰＥＳパケットは、図６（ｃ）に示すように、１つまたは複数のＴＳパケットによって構成される。
具体的には、１つのＰＥＳパケットは、ペイロードタイプ（Ｐａｙｌｏａｄ＿ｔｙｐｅ）＝０ｘ０で、かつ同じパケット識別子（Ｐａｃｋｅｔ＿ｉｄ）を持つＴＳパケットの１つ、または複数から構成される。
ＴＳパケットは、前述のＭＭＴＰパケットと異なり、固定長であり、１つのＴＳパケットのパケットサイズは、１８８バイトに固定されている。
【００８０】
次に、図７を参照してＭＭＴ（ＭＰＥＧ  Ｍｅｄｉａ  Ｔｒａｎｓｐｏｒｔ）フォーマットについて説明する。
ＭＭＴフォーマットについては、先に図３を参照しているが、図７に示すＭＭＴフォーマットの説明図は、図６を参照して説明したＭＰＥＧ−２ＴＳフォーマットとの対応関係を分かり易く説明した図である。
【００８１】
先に説明したように、ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランスポートフォーマット）を規定したものである。
図７は、ＩＳＯ／ＩＥＣ  ２３００８−１に規定されるファイルフォーマットであるＭＭＴフォーマットについて説明する図である。
【００８２】
図７（ａ）〜（ｃ）にはＭＭＴフォーマットデータの構成を示している。
最下段に示す図７（ａ）は、ＭＭＴフォーマットデータの全体構成を示す図である。
図７（ａ）に示すように、ＭＭＴフォーマットデータは、複数のメディアプレゼンテーションユニット（ＭＰＵ：Ｍｅｄｉａ  ｐｒｅｓｅｎｔａｔｉｏｎ  ｕｎｉｔ）によって構成される。
ＭＰＵは、例えば画像、音声、字幕等の１つの単位として設定されるユニットである。例えば、画像の場合、１ＭＰＵが１つのＭＰＥＧ圧縮画像単位である１ＧＯＰ（Ｇｒｏｕｐ  ｏｆ  ｐｉｃｔｕｒｅ）に相当する。
【００８３】
１つのＭＰＵは、図７（ｂ）に示すように、１つまたは複数のメディアフラグメントユニット（ＭＦＵ：Ｍｅｄｉａ  Ｆｒａｇｍｅｎｔ  ｕｎｉｔ）によって構成される。
具体的には、１つのＭＰＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＦＵの１つ、または複数から構成される。
【００８４】
１つのＭＦＵは、図７（ｃ）に示すように、１つまたは複数のＭＭＴＰパケットによって構成される。
具体的には、１つのＭＦＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＭＴＰパケットの１つ、または複数から構成される。
ＭＭＴＰパケットは可変長であり、様々なパケットサイズに設定可能である。
ＭＭＴＰパケットの各々は、属性情報等を格納するヘッダ（ＭＭＴＰヘッダ）と、符号化画像の実データ等を格納するペイロード（ＭＭＰＴペイロード）により、構成される。
【００８５】
［４．ＭＭＴフォーマットデータをＢＤＡＶフォーマットに従って記録する場合の処理について］
次に、ＭＭＴフォーマットデータをＢＤＡＶフォーマットに従って記録する場合の処理について説明する。
先に説明したように、ＭＭＴフォーマットはデータ配信フォーマットであり、図３を参照して説明したスタックに従ったフォーマットである。
一方、ＢＤＡＶフォーマットはメディアに対するデータ記録フォーマットであり、図４を参照して説明したようにプレイリストファイルやクリップ情報ファイル等の再生制御情報ファイルを含むデータベースファイルが規定されている。
なお、ＢＤＡＶフォーマットはデータ記録フォーマットであるとともにデータ記録再生アプリケーション規格にも対応しており、ＢＤＡＶフォーマットに従ってメディアに記録されたデータ再生は、ＢＤＡＶフォーマット対応の再生アプリケーションを利用して再生処理が実行される。
【００８６】
従って、ＭＭＴフォーマットに従った配信コンテンツをメディアに記録し、記録したメディアからのコンテンツ再生処理をＢＤＡＶフォーマット対応の再生アプリケーションを利用して行なうためには、ＢＤＡＶフォーマットに従ったデータ記録を行うことが必要である。
【００８７】
再生対象データとしての画像、音声、字幕等の各データは、前述のように、ＭＭＴフォーマットのまま記録するか、あるいはＭＥＧ−２ＴＳファイルに変換してクリップＡＶストリームファイルとして記録すればよい。
【００８８】
しかし、ＢＤＡＶフォーマットは、再生制御情報ファイルであるプレイリストファイルやクリップ情報ファイル等のＢＤＡＶフォーマット固有のデータベースファイルを規定がしており、ＢＤＡＶ対応再生アプリケーションはこれらの再生制御情報ファイル（データベースファイル）の記録情報を利用してデータ再生処理を実行する。
一方、ＭＭＴフォーマットに従って配信されるデータには、これらのプレイリストファイルやクリップ情報ファイルが含まれていない。
【００８９】
従って、このＭＭＴフォーマットデータをメディアに記録して、ＢＤＡＶフォーマット対応アプリを利用してコンテンツ再生を行うためには、ＢＤＡＶフォーマットの規定するプレイリストファイルやクリップ情報ファイルを生成してメディアに記録することが必要となる。
【００９０】
図８は、ＭＭＴフォーマットに従った配信データに基づいて、メディア記録用のＢＤＡＶフォーマットデータを生成する処理例について説明する図である。
図８に示すように、再生対象となる画像、音声、字幕の各データは、クリップＡＶストリームファイルとして記録する。これらの再生対象データは、ＭＭＴフォーマットのまま、あるいはＴＳフォーマットに変換して記録する等、様々な処理が可能である。
【００９１】
一方、ＢＤＡＶフォーマットにおいて規定される管理情報ファイル、プレイリストファイルやクリップ情報ファイル等のデータベースファイルは、ＭＭＴフォーマットには含まれていない。
【００９２】
先に図２を参照して説明したように、ＭＭＴフォーマットデータには、コンテンツ受信に必要となる設定情報や、番組ガイド等の案内情報や通知情報、制御情報等を含むシグナリング・メッセージが含まれる。
ＴＬＶレイヤで処理が生成されるＴＬＶパケットに格納されるシグナリング・メッセージがＴＬＶ−ＳＩであり、ＭＭＴプロトコルに従って生成されるパケットであるＭＭＴＰパケットに格納されるシグナリング・メッセージがＭＭＴ−ＳＩである。
【００９３】
ＭＭＴフォーマットデータを受信して、受信データをメディアに記録する情報処理装置３０は、ＭＭＴフォーマットに含まれるＴＬＶ−ＳＩやＭＭＴ−ＳＩ等のシグナリング・メッセージから、ＢＤＡＶフォーマットのデータベースファイルに記録すべき情報を選択して、ＢＤＡＶフォーマットに規定されたプレイリストファイルやクリップ情報ファイル等生成することが必要となる。
【００９４】
ＢＤＡＶフォーマットに規定されたプレイリストファイルやクリップ情報ファイルには、クリップＡＶストリームファイルの再生制御情報として様々なデータが記録される。その一部として、クリップＡＶストリームファイルに格納されたコンテンツの属性情報が記録される。
【００９５】
例えば放送局等の送信装置２０が提供する番組等のコンテンツをメディアに記録して再生する場合、ユーザは再生対象コンテンツ（番組）を選択するために録画コンテンツ（番組）リストを表示部に表示して、リストから再生対象コンテンツ（番組）を選択して再生処理を開始する。
この録画コンテンツリストを生成するための情報もプレイリストファイルやクリップ情報ファイルの記録データに含まれる。
【００９６】
情報記録媒体（メディア）に記録された様々なコンテンツから、ユーザが再生対象コンテンツを選択するために、情報処理装置３０の表示部に表示する録画コンテンツリストの例を図９に示す。
図９に示す録画コンテンツリストには、録画コンテンツ（番組）に関する以下の各情報が含まれる。
（１）タイトル
（２）録画時刻
（３）放送局
（４）付属情報１（番組ジャンル）
（５）付属情報２（画像情報：コーデック／解像度）
例えば、これらの情報を含む録画コンテンツリストが情報処理装置の表示部に表示され、ユーザは表示リストから再生対象コンテンツを選択して再生処理を開始することができる。
【００９７】
図９に示す録画コンテンツリストに含まれるデータは、すべて、ＢＤＡＶフォーマットデータ中のプレイリストファイル、またはクリップ情報ファイルの記録データである。
ＢＤＡＶフォーマットデータのデータ処理を実行するアプリケーションは、プレイリストファイル、またはクリップ情報ファイルの記録データを用いて、図９に示すような録画リストを生成し表示部に表示する。
【００９８】
従って、情報処理装置３０は、ＭＭＴフォーマットデータをＢＤＡＶフォーマットデータとしてメディアに記録する場合、図９に示す録画コンテンツリストとして出力するデータと同様の録画コンテンツ属性データをＭＭＴフォーマットデータから選択して、その選択データをＢＤＡＶフォーマットにおいて規定されるプレイリストファイル、およびクリップ情報ファイルに記録することが必要となる。
【００９９】
以下、この具体的な処理について説明する。
以下、プレイリストファイル、クリップ情報ファイル、各々に対する具体的な録画コンテンツ属性データの記録例について、順次、説明する。
【０１００】
［５．プレイリストファイルに対する録画コンテンツ属性データの記録例について］
まず、図１０以下を参照してプレイリストファイルに対する録画コンテンツ属性データの記録例について説明する。
【０１０１】
先に説明したように、プレイリストファイルには、そのプレイリストを適用して再生されるデータに関する情報が記録される。具体的には、例えばコンテンツの再生順等を規定しており、再生位置情報等を記録したクリップ情報ファイルの指定情報等を有する。
【０１０２】
図１０は、１つのプレイリスト（ＰｌａｙＬｉｓｔ）のデータ構成（シンタクス）を示す図である。
図１０に示すプレイリストの主な記録データについて説明する。
バージョンナンバ（ｖｅｒｓｉｏｎ＿ｎｕｍｂｅｒ）は、このプレイリストのバージョンナンバを示す。
レングス（ｌｅｎｇｔｈ）は、このレングスフィールドの直後からプレイリストファイル構成データの最後までのバイト数を示す。
【０１０３】
ＣＰＩタイプ（ＣＰＩ＿ｔｙｐｅ）は、プレイリストファイルに規定されたプレイアイテム（ＰｌａｙＩｔｅｍ）によって参照されるクリップ情報ファイル内のＣＰＩタイプを示す情報である。ＣＰＩ（Ｃｈａｒａｃｔｅｒｉｓｔｉｃ  Ｐｏｉｎｔ  Ｉｎｆｏｒｍａｔｉｏｎ）は、クリップ情報ファイルの記録データであり、例えば、再生開始点のデータアドレスを取得するためのデータである。ＣＰＩには、例えばＥＰ＿ｍａｐがある。
ＥＰ＿ｍａｐは、ＡＶストリームの中でデコードを開始すべきエントリポイント（ＥＰ）の場所を見つけるためのアドレス情報を持つ。
【０１０４】
ユーザインタフェースアプリケーション情報（ＵＩＡｐｐＩｎｆｏＰｌａｙＬｉｓｔ）１０１は、このプレイリストについてのユーザインタフェースアプリケーションのパラメータを記録する領域である。
このフィールドに、例えば図９を参照して説明した録画コンテンツ（番組）リストの表示に適用するデータが記録される。
このユーザインタフェースアプリケーション情報（ＵＩＡｐｐＩｎｆｏＰｌａｙＬｉｓｔ）１０１の詳細については、さらに、図１１を参照して説明する。
【０１０５】
プレイアイテム数（ｎｕｍｂｅｒ＿ｏｆ＿ＰｌａｙＩｔｅｍｓ）は、このプレイリストファイルに規定されたプレイアイテム（ＰｌａｙＩｔｅｍ）の数を示す。
【０１０６】
次に、図１１を参照して、ユーザインタフェースアプリケーション情報（ＵＩＡｐｐＩｎｆｏＰｌａｙＬｉｓｔ）１０１の詳細について説明する。
図１１は、ユーザインタフェースアプリケーション情報（ＵＩＡｐｐＩｎｆｏＰｌａｙＬｉｓｔ）１０１のデータ構成（シンタクス）を示す図である。
【０１０７】
ユーザインタフェースアプリケーション情報（ＵＩＡｐｐＩｎｆｏＰｌａｙＬｉｓｔ）１０１には、図１１に示すように、例えば、以下のデータが記録される。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
これらの情報は、いずれも図９に示す録画コンテンツ（番組）リストの表示データとして利用可能なデータとなる。
【０１０８】
（Ｐ１）録画日時（ｒｅｃｏｒｄ＿ｔｉｍｅ＿ａｎｄ＿ｄａｔｅ）
このフィールドは、このプレイリストの再生制御対象コンテンツ（再生対象となるストリームファイル格納コンテンツ）の記録開始日時を記録する４×１４＝５６ビットのフィールドである。このフィールドは、年／月／日／時／分／秒について、１４個の数字を４ビットのＢｉｎａｒｙ  Ｃｏｄｅｄ  Ｄｅｃｉｍａｌ（ＢＣＤ）で符号化したものである。
例えば、２０１６／０７／０１：０１：０２：０３は、［０ｘ２０１６０７０１０１０２０３］として記録される。
【０１０９】
（Ｐ２）チャンネル番号（ｃｈａｎｎｅｌ＿ｎｕｍｂｅｒ）
このフィールドは、このプレイリストの再生制御対象コンテンツ（再生対象となるストリームファイル格納コンテンツ）提供主体のチャネル番号またはサービス番号を示す。
（Ｐ３）チャンネル名（ｃｈａｎｎｅｌ＿ｎａｍｅ）
このフィールドは、このプレイリストの再生制御対象コンテンツ（再生対象となるストリームファイル格納コンテンツ）提供主体のチャネル名またはサービス名を示す。
【０１１０】
（Ｐ４）録画番組名（Ｐｌａｙｌｉｓｔ＿ｎａｍｅ）
このフィールドは、このプレイリストの名前であり、多くの場合、プレイリストの再生制御対象コンテンツ（再生対象となるストリームファイル格納コンテンツ）のタイトル（番組）名が記録される。
（Ｐ５）録画番組詳細（Ｐｌａｙｌｉｓｔ＿ｄｅｔａｉｌ）
このフィールドは、このプレイリストの再生制御対象コンテンツ（再生対象となるストリームファイル格納コンテンツ）の詳細情報であり、例えばバ゜ングミジャンルや出演者等の情報が記録される。
【０１１１】
このように、ＢＤＡＶフォーマットで規定されるプレイリストファイルには、先に図９を参照して説明した録画コンテンツ（番組）リストの表示データとして利用可能なデータとして、以下の各情報を記録することが必要となる。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
図９に示す録画コンテンツ（番組）リストを表示するためには、録画処理に際して、これらの各データを記録したプレイリストファイルを生成することが必要となる。
【０１１２】
例えば放送局からの配信コンテンツ（番組）をＭＭＴフォーマットデータで受信し、受信コンテンツを情報記録媒体（メディア）に記録する情報処理装置は、ＭＭＴフォーマットデータに従った受信データから、上記の（Ｐ１）〜（Ｐ５）に相当するデータを抽出して、これらのデータを記録したプレイリストファイルを生成することが必要となる。
【０１１３】
先に図２他を参照して説明したように、ＭＭＴフォーマットデータには、情報処理装置３０側においてコンテンツ（番組）を受信するために必要となる設定情報や、番組ガイド等の案内情報や通知情報、制御情報等によって構成されるシグナリング・メッセージが含まれる。
ＭＭＴフォーマットで規定されたシグナリング・メッセージには、ＭＭＴＰパケットで送信されるシグナリング・メッセージ（ＭＭＴ−ＳＩ）と、ＴＬＶパケットで送信されるシグナリング・メッセージ（ＴＬＶ−ＳＩ）がある。
【０１１４】
ＭＭＴフォーマットデータを受信して、受信データをメディアに記録する情報処理装置３０は、ＭＭＴフォーマットに含まれるＴＬＶ−ＳＩやＭＭＴ−ＳＩ等のシグナリング・メッセージから、上記の（Ｐ１）〜（Ｐ５）に相当するデータを抽出して、これらのデータを記録したプレイリストファイルを生成する。
【０１１５】
情報処理装置３０が実行する処理の具体例について、図１２を参照して説明する。
図１２には、情報処理装置３０が受信する（Ａ）ＭＭＴフォーマットデータと、メディアに記録するデータのフォーマットである（Ｂ）ＢＤＡＶフォーマットデータを示している。
【０１１６】
図１２の（Ａ）ＭＭＴフォーマットデータには、
ＴＬＶパケットで送信されるシグナリング・メッセージ（ＴＬＶ−ＳＩ）１２０、
ＭＭＴＰパケットシグナリング・メッセージ（ＭＭＴ−ＳＩ）１３０、
これらの各データのみを示している。
一方、（Ｂ）のＢＤＡＶフォーマットデータにはプレイリスト１５０のみを示している。
【０１１７】
図１２（Ｂ）に示すプレイリスト１５０には、先に図１０、図１１を参照して説明した録画コンテンツ（番組）リストの出力データとして利用する録画コンテンツ属性情報、すなわち以下のデータを示している。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
【０１１８】
これらの録画コンテンツ属性情報（Ｐ１）〜（Ｐ５）をプレイリストに記録するため、情報処理装置３０は、ＭＭＴフォーマットに従って送信されるシグナリング・メッセージであるシグナリング・メッセージ（ＴＬＶ−ＳＩ）１２０と、シグナリング・メッセージ（ＭＭＴ−ＳＩ）１３０のデータ記録フィールドから、これらの録画コンテンツ属性情報（Ｐ１）〜（Ｐ５）と同様のデータを取得してプレイリスト１５０に記録する。
【０１１９】
図１２に示すように、プレイリスト１５０に記録すべき録画コンテンツ属性情報（Ｐ１）〜（Ｐ５）の各々は、それぞれ、ＭＭＴフォーマットに従って記録された以下のデータ（Ｍ１）〜（Ｍ５）に対応するデータである。
情報処理装置は、プレイリストに記録する（Ｐ１）〜（Ｐ５）の各データについて、以下のように、ＭＭＴフォーマットデータから取得して、プレイリストに記録する。
【０１２０】
（Ｐ１）録画日時（ｒｅｃｏｒｄ＿ｔｉｍｅ＿ａｎｄ＿ｄａｔｅ）については、
シグナリング・メッセージ（ＭＭＴ−ＳＩ）１３０として送信されるイベント情報テーブル（ＭＨ−ＥＩＴ）１３１に記録された、
（Ｍ１）番組開始時刻、
を取得してプレイリスト１５０に記録する。
ＭＭＴフォーマットにおいて規定されたイベント情報テーブル（ＭＨ−ＥＩＴ（Ｅｖｅｎｔ  Ｉｎｆｏｒｍａｔｉｏｎ  Ｔａｂｌｅ））１３１は、番組の名称や、放送日時、内容の説明など、番組に関する通知情報を記録したテーブルである。
【０１２１】
なお、イベント情報テーブル（ＭＨ−ＥＩＴ）１３１は、パケットＩＤ＝０ｘ８０００のＭＭＴＰパケットに格納されており、情報処理装置は、パケットＩＤに基づいてイベント情報テーブル（ＭＨ−ＥＩＴ）１３１の格納パケットを判別することができる。
【０１２２】
（Ｐ２）チャンネル番号（ｃｈａｎｎｅｌ＿ｎｕｍｂｅｒ）については、
シグナリング・メッセージ（ＴＬＶ−ＳＩ）１２０として送信されるＴＬＶ用ネットワーク情報テーブル（ＴＬＶ−ＮＩＴ）１２１に記録された、
（Ｍ２）ＴＬＶストリームＩＤ
を取得してプレイリスト１５０に記録する。
ＭＭＴフォーマットにおいて規定されたＴＬＶ用ネットワーク情報テーブル（ＴＬＶ−ＮＩＴ（Ｎｅｔｗｏｒｋ  Ｉｎｆｏｒｍａｔｉｏｎ  Ｔａｂｌｅ））１２１は、物理的ネットワークに関する通知情報を記録したテーブルである。
【０１２３】
（Ｐ３）チャンネル名（ｃｈａｎｎｅｌ＿ｎａｍｅ）については、
シグナリング・メッセージ（ＭＭＴ−ＳＩ）１３０として送信されるブロードキャスタ情報テーブル（ＭＨ−ＢＩＴ）１３２に記録された、
（Ｍ３）事業者名／サービス名
を取得してプレイリスト１５０に記録する。
ＭＭＴフォーマットにおいて規定されたブロードキャスタ情報テーブル（ＭＨ−ＢＩＴ（Ｂｌｏａｄｃａｓｔｅｒ  Ｉｎｆｏｒｍａｔｉｏｎ  Ｔａｂｌｅ））１３２は、ネットワーク上の放送局等のブロードキャスタに関する通知情報を記録したテーブルである。
【０１２４】
なお、ブロードキャスタ情報テーブル（ＭＨ−ＢＩＴ）１３２は、パケットＩＤ＝０ｘ８００２のＭＭＴＰパケットに格納されており、情報処理装置は、パケットＩＤに基づいてブロードキャスタ情報テーブル（ＭＨ−ＢＩＴ）１３２の格納パケットを判別することができる。
【０１２５】
（Ｐ４）録画番組名（Ｐｌａｙｌｉｓｔ＿ｎａｍｅ）については、
シグナリング・メッセージ（ＭＭＴ−ＳＩ）１３０として送信されるイベント情報テーブル（ＭＨ−ＥＩＴ）１３１に記録された、
（Ｍ４）イベント名、
を取得してプレイリスト１５０に記録する。
【０１２６】
（Ｐ５）録画番組詳細（Ｐｌａｙｌｉｓｔ＿ｄｅｔａｉｌ）については、
シグナリング・メッセージ（ＭＭＴ−ＳＩ）１３０として送信されるイベント情報テーブル（ＭＨ−ＥＩＴ）１３１に記録された、
（Ｍ５）イベント詳細、
を取得してプレイリスト１５０に記録する。
【０１２７】
このように、ＭＭＴフォーマットに従って配信されるシグナリングデータであるＴＬＶ−ＳＩ１２０、ＭＭＴ−ＳＩ１３０には、プレイリストファイルに記録すべきコンテンツ（番組）属性情報、すなわち、
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
これらの情報に対応する以下の情報が記録されている。
（Ｍ１）番組開始時刻
（Ｍ２）ＴＬＶストリームＩＤ
（Ｍ３）事業者名／サービス名
（Ｍ４）イベント名
（Ｍ５）イベント詳細
【０１２８】
ＭＭＴフォーマットデータを受信してメディアにＢＤＡＶフォーマットデータとして記録する情報処理装置は、ＭＭＴフォーマットデータに含まれるシグナリングデータであるＴＬＶ−ＳＩ１２０、ＭＭＴ−ＳＩ１３０から、上記の（Ｍ１）〜（Ｍ５）の各データを取得して、ＢＤＡＶフォーマットで規定されたプレイリスト１５０に、これらのデータを格納してメディアに記録する処理を実行する。
以下、図１３以下を参照して、ＭＭＴフォーマットデータから上記の各情報（Ｍ１）〜（Ｍ５）を取得しプレイリストファイルに記録する処理の具体例について説明する。
【０１２９】
［５−１．（Ｐ１）録画日時（ｒｅｃｏｒｄ＿ｔｉｍｅ＿ａｎｄ＿ｄａｔｅ）の記録処理例］
まず、図１３を参照してプレイリストの記録情報である「（Ｐ１）録画日時（ｒｅｃｏｒｄ＿ｔｉｍｅ＿ａｎｄ＿ｄａｔｅ）」に対応するＭＭＴフォーマットデータ中の「（Ｍ１）番組開始時刻」の取得処理について説明する。
【０１３０】
前述したように、「（Ｍ１）番組開始時刻」は、
シグナリング・メッセージ（ＭＭＴ−ＳＩ）１３０として送信されるイベント情報テーブル（ＭＨ−ＥＩＴ）１３１から取得する。
ＭＭＴフォーマットにおいて規定されたイベント情報テーブル（ＭＨ−ＥＩＴ（Ｅｖｅｎｔ  Ｉｎｆｏｒｍａｔｉｏｎ  Ｔａｂｌｅ））１３１は、番組の名称や、放送日時、内容の説明など、番組に関する通知情報を記録したテーブルである。
【０１３１】
図１３は、イベント情報テーブル（ＭＨ−ＥＩＴ（Ｅｖｅｎｔ  Ｉｎｆｏｒｍａｔｉｏｎ  Ｔａｂｌｅ））１３１のデータ構成（シンタックス）を示す図である。
イベント情報テーブル（ＭＨ−ＥＩＴ）には、
イベント、例えば番組単位の様々な情報を記録するイベント情報記録領域１６０が設定される。
【０１３２】
イベント情報記録領域１６０には、各イベント（番組）に関する以下の各データが記録される。
（１）イベント（番組）ＩＤ（ｅｖｅｎｔ＿ｉｄ）
（２）番組開始時刻（ｓｔａｒｔ＿ｔｉｍｅ）
（３）番組時間長（ｄｕｒａｔｉｏｎ）
（４）番組視聴料金情報（有料／無料（ｆｒｅｅ＿ＣＡ＿ｍｏｄｅ）
（５）番組詳細情報（ｄｅｓｃｒｉｐｔｏｒ）
これらは、番組単位で記録されるデータである。
【０１３３】
これらのデータ中、（２）番組開始時刻（ｓｔａｒｔ＿ｔｉｍｅ）が、図１２を参照して説明した（Ｍ１）番組開始時刻に相当し、情報処理装置は、メディアに記録した録画コンテンツ（番組）に対応する「（Ｍ１）番組開始時刻」情報を、図１３に示すイベント情報テーブル（ＭＨ−ＥＩＴ）から取得する。
さらに、情報処理装置は、取得した「（Ｍ１）番組開始時刻」情報を、ＢＤＡＶフォーマットの規定に従って生成したプレイリストファイルの「（Ｐ１）録画日時（ｒｅｃｏｒｄ＿ｔｉｍｅ＿ａｎｄ＿ｄａｔｅ）」記録領域に格納し、情報記録媒体（メディア）に記録する。
【０１３４】
［５−２．（Ｐ２）チャンネル番号（ｃｈａｎｎｅｌ＿ｎｕｍｂｅｒ）の記録処理例］
次に、図１４を参照してプレイリストの記録情報である「（Ｐ２）チャンネル番号（ｃｈａｎｎｅｌ＿ｎｕｍｂｅｒ）」に対応するＭＭＴフォーマットデータ中の「（Ｍ２）ＴＬＶストリームＩＤ」の取得処理について説明する。
【０１３５】
前述したように、「（Ｍ２）ＴＬＶストリームＩＤ」は、
図１２を参照して説明したシグナリング・メッセージ（ＴＬＶ−ＳＩ）１２０として送信されるＴＬＶ用ネットワーク情報テーブル（ＴＬＶ−ＮＩＴ）１２１から取得する。
ＭＭＴフォーマットにおいて規定されたＴＬＶ用ネットワーク情報テーブル（ＴＬＶ−ＮＩＴ（Ｎｅｔｗｏｒｋ  Ｉｎｆｏｒｍａｔｉｏｎ  Ｔａｂｌｅ））１２１は、物理的ネットワークに関する通知情報を記録したテーブルである。
【０１３６】
図１４は、ＴＬＶ用ネットワーク情報テーブル（ＴＬＶ−ＮＩＴ（Ｎｅｔｗｏｒｋ  Ｉｎｆｏｒｍａｔｉｏｎ  Ｔａｂｌｅ））１２１のデータ構成（シンタックス）を示す図である。
ＴＬＶ用ネットワーク情報テーブル（ＴＬＶ−ＮＩＴ）には、
コンテンツ（番組）の送受信用の通信ネットワークに関する様々な情報を、ストリーム（チャンネル）単位で記録するネットワーク情報記録領域１６２が設定される。
【０１３７】
ネットワーク情報記録領域１６０には、ストリーム（チャンネル）単位のネットワーク情報が記録される。その１つに、図１２を参照して説明した、
（Ｍ２）ＴＬＶストリームＩＤ
が含まれる。
この（Ｍ２）ＴＬＶストリームＩＤは、ＴＬＶストリームの識別番号、具体的には番組を提供するチャンネル番号を示す。
【０１３８】
情報処理装置は、メディアに記録した録画コンテンツ（番組）に対応する「（Ｍ２）ＴＬＶストリームＩＤ」情報を、図１４に示すＴＬＶ用ネットワーク情報テーブル（ＴＬＶ−ＮＩＴ）から取得する。
さらに、情報処理装置は、取得した「（Ｍ２）ＴＬＶストリームＩＤ」情報を、ＢＤＡＶフォーマットの規定に従って生成したプレイリストファイルの「（Ｐ２）チャンネル番号（ｃｈａｎｎｅｌ＿ｎｕｍｂｅｒ）」記録領域に格納し、情報記録媒体（メディア）に記録する。
【０１３９】
［５−３．（Ｐ３）チャンネル名（ｃｈａｎｎｅｌ＿ｎａｍｅ）の記録処理例］
次に、図１５を参照してプレイリストの記録情報である「（Ｐ３）チャンネル名（ｃｈａｎｎｅｌ＿ｎａｍｅ）」に対応するＭＭＴフォーマットデータ中の「（Ｍ３）事業者名／サービス名」の取得処理について説明する。
【０１４０】
前述したように、「（Ｐ３）チャンネル名（ｃｈａｎｎｅｌ＿ｎａｍｅ）」は、
図１２を参照して説明したシグナリング・メッセージ（ＭＭＴ−ＳＩ）１３０として送信されるブロードキャスタ情報テーブル（ＭＨ−ＢＩＴ））１３２から取得する。
ＭＭＴフォーマットにおいて規定されたブロードキャスタ情報テーブル（ＭＨ−ＢＩＴ（Ｂｌｏａｄｃａｓｔｅｒ  Ｉｎｆｏｒｍａｔｉｏｎ  Ｔａｂｌｅ））１３２は、ネットワーク上の放送局等のブロードキャスタに関する通知情報を記録したテーブルである。
【０１４１】
図１５は、ＭＭＴフォーマットにおいて規定されたブロードキャスタ情報テーブル（ＭＨ−ＢＩＴ）の構成データであるＭＨ−ブロードキャスタ名記述子のデータ構成（シンタックス）を示す図である。
ブロードキャスタ情報テーブル（ＭＨ−ＢＩＴ）に記録されるＭＨ−ブロードキャスタ名記述子には、
図に示すように、コンテンツ（番組）を配信する事業者名やサービス名の記録領域、すなわち、図１２を参照して説明した、
（Ｍ３）事業者名／サービス名
を記録する領域（ｃｈａｒ（文字列記録領域を意味する））が含まれる。
これは、具体的には、例えばチャンネル名（放送局名）の記録領域に相当する。
【０１４２】
情報処理装置は、メディアに記録した録画コンテンツ（番組）に対応する「（Ｍ３）事業者名／サービス名」情報を、図１５に示すブロードキャスタ情報テーブル（ＭＨ−ＢＩＴ）内のＭＨ−ブロードキャスタ名記述子から取得する。
さらに、情報処理装置は、取得した「（Ｍ３）事業者名／サービス名」情報を、ＢＤＡＶフォーマットの規定に従って生成したプレイリストファイルの「（Ｐ３）チャンネル名（ｃｈａｎｎｅｌ＿ｎａｍｅ）」記録領域に格納し、情報記録媒体（メディア）に記録する。
【０１４３】
［５−４．（Ｐ４）録画番組名（Ｐｌａｙｌｉｓｔ＿ｎａｍｅ）と、（Ｐ５）録画番組詳細（Ｐｌａｙｌｉｓｔ＿ｄｅｔａｉｌ）の記録処理例］
次に、図１６を参照してプレイリストの記録情報である「（Ｐ４）録画番組名（Ｐｌａｙｌｉｓｔ＿ｎａｍｅ）」と、「（Ｐ５）録画番組詳細（Ｐｌａｙｌｉｓｔ＿ｄｅｔａｉｌ）」に対応するＭＭＴフォーマットデータ中の「（Ｍ４）イベント名」と、「（Ｍ５）イベント詳細」の取得処理について説明する。
【０１４４】
前述したように、「（Ｐ４）録画番組名（Ｐｌａｙｌｉｓｔ＿ｎａｍｅ）」と、「（Ｐ５）録画番組詳細（Ｐｌａｙｌｉｓｔ＿ｄｅｔａｉｌ）」は、
先に説明した（Ｐ１）録画開始時刻（ｒｅｃｏｒｄ＿ｔｉｍｅ＿ａｎｄ＿ｄａｔｅ）と同様、図１２を参照して説明したシグナリング・メッセージ（ＭＭＴ−ＳＩ）１３０として送信されるイベント情報テーブル（ＭＨ−ＥＩＴ）１３１から取得する。
【０１４５】
ＭＭＴフォーマットにおいて規定されたイベント情報テーブル（ＭＨ−ＥＩＴ（Ｅｖｅｎｔ  Ｉｎｆｏｒｍａｔｉｏｎ  Ｔａｂｌｅ））１３１は、番組の名称や、放送日時、内容の説明など、番組に関する通知情報を記録したテーブルである。
【０１４６】
イベント情報テーブル（ＭＨ−ＥＩＴ）のデータ構成（シンタックス）は、先に図１３を参照して説明した通りであり、図１３に示すイベント情報記録領域１６０に、各イベント（番組）に関する以下の各データが記録される。
（１）イベント（番組）ＩＤ（ｅｖｅｎｔ＿ｉｄ）
（２）番組開始時刻（ｓｔａｒｔ＿ｔｉｍｅ）
（３）番組時間長（ｄｕｒａｔｉｏｎ）
（４）番組視聴料金情報（有料／無料（ｆｒｅｅ＿ＣＡ＿ｍｏｄｅ）
（５）番組詳細情報（ｄｅｓｃｒｉｐｔｏｒ）
これらは、番組単位で記録されるデータである。
【０１４７】
これらのデータ中、「（５）番組詳細情報（ｄｅｓｃｒｉｐｔｏｒ）」を構成するデータとして、「ＭＨ―ショートイベント記述子（ＭＨ−Ｓｈｏｒｔ＿Ｅｖｅｎｔ＿Ｄｅｓｃｒｉｐｔｏｒ）」が記録される。
図１６は、イベント情報テーブル（ＭＨ−ＥＩＴ）中に記録される「ＭＨ―ショートイベント記述子（ＭＨ−Ｓｈｏｒｔ＿Ｅｖｅｎｔ＿Ｄｅｓｃｒｉｐｔｏｒ）」のデータ構成（シンタックス）を示す図である。
【０１４８】
図１６に示すように、イベント情報テーブル（ＭＨ−ＥＩＴ）中に記録される「ＭＨ―ショートイベント記述子」には、先に図１２を参照して説明した、
図に示すように、
（Ｍ４）イベント（番組）名の記録領域（ｅｖｅｎｔ＿ｎａｍｅ＿ｃｈａｒ）、
（Ｍ５）イベント（番組）詳細の記録領域（ｔｅｘｔ＿ｃｈａｒ）、
これらのデータ記録領域が含まれる。
【０１４９】
情報処理装置は、メディアに記録した録画コンテンツ（番組）に対応する「（Ｍ４）イベント（番組）名」情報と、「（Ｍ５）イベント（番組）詳細」情報を、図１６に示すイベント情報テーブル（ＭＨ−ＥＩＴ）内の「ＭＨ―ショートイベント記述子」から取得する。
さらに、情報処理装置は、取得した「（Ｍ４）イベント（番組）名」情報と、「（Ｍ５）イベント（番組）詳細」情報を、ＢＤＡＶフォーマットに従って生成したプレイリストファイルの以下のデータ記録領域、すなわち、
（Ｐ４）録画番組名（Ｐｌａｙｌｉｓｔ＿ｎａｍｅ）記録領域と、
（Ｐ５）録画番組詳細（Ｐｌａｙｌｉｓｔ＿ｄｅｔａｉｌ）記録領域、
これらの記録領域に格納して、メディアに記録する。
【０１５０】
［６．クリップ情報ファイルに対する録画コンテンツ属性データの記録例について］
次に、図１７以下を参照してクリップ情報ファイルに対する録画コンテンツ属性データの記録例について説明する。
【０１５１】
先に説明したように、クリップ情報ファイルには、そのクリップ情報ファイルを適用して再生するデータに関する情報が記録される。具体的には、例えば、クリップＡＶストリームファイルの再生位置情報等を有する。
【０１５２】
図１７は、１つのクリップ情報ファイルのデータ構成（シンタクス）を示す図である。
クリップ情報ファイルには、クリップ情報に対応付けられた再生データに関する情報が記録される。図１７に示すように、例えば、以下の各情報が記録される。
クリップ情報［ＣｌｉｐＩｎｆｏ（）］２０１、
シーケンス情報［ＳｅｑｕｅｎｃｅＩｎｆｏ（）］２０２、
プログラム情報［ＰｒｏｇｒａｍＩｎｆｏ（）］２０３、
【０１５３】
クリップ情報［ＣｌｉｐＩｎｆｏ（）］２０１は、クリップ情報ファイルに対応するＡＶストリームファイルの属性情報を記録する。
シーケンス情報［ＳｅｑｕｅｎｃｅＩｎｆｏ（）］２０２は、このクリップ情報ファイルに対応するＡＶストリームファイルに格納された再生対象データの再生シーケンスに関する情報を記録する。
【０１５４】
プログラム情報［ＰｒｏｇｒａｍＩｎｆｏ（）］２０３について説明する。
プログラム情報［ＰｒｏｇｒａｍＩｎｆｏ（）］２０３の記録情報について、図１８以下を参照して説明する。
プログラム情報［ＰｒｏｇｒａｍＩｎｆｏ（）］２０３は、クリップ情報ファイルによって再生されるクリップＡＶストリームの再生区間や時間区間の定義情報等を含むプログラム(ｐｒｏｇｒａｍ＿ｓｅｑｕｅｎｃｅ)に関する情報を記録する。
【０１５５】
図１８に示す、ＰｒｏｇｒａｍＩｎｆｏに記録される主なデータについて説明する。
（ａ）プログラムシーケンス数［ｎｕｍ＿ｏｆ＿ｐｒｏｇｒａｍ＿ｓｅｑｕｅｎｃｅｓ］２１１には、クリップ情報ファイルに含まれるプログラムシーケンス（ｐｒｏｇｒａｍ＿ｓｅｑｕｅｎｃｅ）の数が記録される。
（ｂ）ＳＰＮプログラムシーケンス開始アドレス［ＳＰＮ＿ｐｒｏｇｒａｍ＿ｓｅｑｕｅｎｃｅ＿ｓｔａｒｔ［ｉ］］２１２には、ＡＶストリームファイル上でプログラムシーケンスが開始する場所の相対アドレスが記録される。
（ｃ）プログラムマップＰＩＤ［ｐｒｏｇｒａｍ＿ｍａｐ＿ＰＩＤ［ｉ］］２１３には、プログラムシーケンス（ｐｒｏｇｒａｍ＿ｓｅｑｕｅｎｃｅ）のマップが格納されているパケットの識別子（ＰＩＤ）が記録される。
【０１５６】
（ｄ）ストリームＰＩＤ［ｓｔｒｅａｍ＿ＰＩＤ］２１４には、このクリップ情報ファイルのプログラムシーケンスに従って再生されるストリームが格納されているパケットの識別子（ＰＩＤ）が記録される。
（ｅ）ストリームコーディング情報［ＳｔｒｅａｍＣｏｄｉｎｇＩｎｆｏ］２１５には、再生対象ストリームのコーディング（符号化）情報が記録される。
【０１５７】
このように、クリップ情報ファイルには、再生対象として関連付けられたクリップＡＶストリームファイル格納データの再生に必要な様々な情報が記録される。
【０１５８】
図１９は、クリップ情報ファイルのプログラム情報［ＰｒｏｇｒａｍＩｎｆｏ（）］記録領域内に設定されるストリームコーディング情報［ＳｔｒｅａｍＣｏｄｉｎｇＩｎｆｏ］のデータ構成（シンタクス）を示す図である。
ストリームコーディング情報［ＳｔｒｅａｍＣｏｄｉｎｇＩｎｆｏ］には、以下のデータが記録される。
（１）画像ストリームコーディング情報２２１、
（２）音声ストリームコーディング情報２２２、
【０１５９】
なお、情報記録媒体（メディア）に記録される画像ストリームや、音声ストリームの符号化態様（コーディングタイプ）は、様々なタイプが許容されており、画像、音声とも各コーディングタイプに応じた識別子が予め規定されている。
画像は、コーディングタイプ（符号化タイプ）に応じて、例えば、タイプ識別子＝０ｘ０１，０ｘ０２、０ｘ１Ｂ等が対応付けられている。
音声は、コーディングタイプ（符号化タイプ）に応じてタイプ識別子＝０ｘ０３、０ｘ０４、０ｘ０Ｆ、０ｘ８０，０ｘ８１等が対応付けられている。
【０１６０】
現行のＢＤＡＶフォーマットで規定された画像ストリームや、音声ストリームのコーディングタイプの設定例を図２０に示す。
例えば、コーディングタイプ０ｘ０１はＭＰＥＧ−１画像ストリーム、０ｘ０２はＭＰＥＧ−２画像ストリーム、０ｘ０３はＭＰＥＧ−１音声ストリーム等の設定である。
【０１６１】
なお、ＭＭＴフォーマットでは、現行のＢＤＡＶフォーマットでは規定されていない画像符号化タイプであるＨＥＶＣ符号化が用いられる。
また、ＭＭＴフォーマットでは、現行のＢＤＡＶフォーマットでは規定されていない音声符号化タイプであるＭＰＥＧ−４  ＡＡＣ符号化や、ＭＰＥＧ−４  ＡＬＳ符号化が用いられる。
これらの符号化タイプについても新たに符号化タイプ識別子を割り振ることが必要となる。
【０１６２】
図２０には、これらのＭＭＴフォーマットデータの新しい符号化データのコーディングタイプ識別子の設定例を示している。
コーディングタイプ＝０ｘ１０＝ＭＰＥＧ−４  ＡＡＣ符号化音声データ
コーディングタイプ＝０ｘ１１＝ＭＰＥＧ−４  ＡＬＳ符号化音声データ
コーディングタイプ＝０ｘ２４＝ＨＥＶＣ符号化画像データ
例えば、このようにＭＭＴフォーマットで利用される新しい符号化データのコーディングタイプ識別子を設定する。
【０１６３】
図１９に戻り、ストリームコーディング情報［ＳｔｒｅａｍＣｏｄｉｎｇＩｎｆｏ］の説明を続ける。
（１）画像ストリームコーディング情報２２１として記録される情報は、以下の各情報である。
（１ａ）ビデオフォーマット（ｖｉｄｅｏ＿ｆｏｒｍａｔ）
（１ｂ）フレームレート（ｆｒａｍｅ  ｒａｔｅ）
（１ｃ）アスペクト比（ａｓｐｅｃｔ＿ｒａｔｉｏ）
【０１６４】
これらの情報は、情報記録媒体（メディア）に記録された画像に関する情報である。さらに、メディア記録画像が、入力画像（オリジナル画像）に対して、例えばフォーマット変換等を実行したデータである場合等、入力画像（オリジナル画像）と異なるフォーマットを有する場合等には、上記の画像情報に加えて、変換前のリジナル画像の情報、すなわち、情報処理装置が放送波等で入力したオリジナル画像に関する情報として、以下の各情報も併せて記録される。
（１ｄ）オリジナルビデオフォーマット（ｏｒｉｇｉｎａｌ＿ｖｉｄｅｏ＿ｆｏｒｍａｔ）
（１ｅ）オリジナルアスペクト比（ｏｒｉｇｉｎａｌ＿ａｓｐｅｃｔ＿ｒａｔｉｏ）
【０１６５】
一方、（２）音声ストリームコーディング情報２２２として記録される情報は、以下の各情報である。
（２ａ）音声タイプ（ａｕｄｉｏ＿ｐｒｅｓｅｎｔａｔｉｏｎ＿ｔｙｐｅ）
（２ｂ）サンプリング周波数（ｓａｍｐｌｉｎｇ＿ｆｒｅｑｕｅｎｃｙ）
【０１６６】
なお、先に図２０を参照して説明したように、ＭＭＴフォーマットデータは、現行のＢＤＡＶフォーマットでは規定のない新しい符号化データが利用される。
図２０を参照して説明した以下の符号化データである。
コーディングタイプ＝０ｘ１０＝ＭＰＥＧ−４  ＡＡＣ符号化音声データ
コーディングタイプ＝０ｘ１１＝ＭＰＥＧ−４  ＡＬＳ符号化音声データ
コーディングタイプ＝０ｘ２４＝ＨＥＶＣ符号化画像データ
【０１６７】
このようなＭＭＴフォーマットで利用される新しい符号化データのコーディングタイプについても、図１９に示すストリームコーディング情報［ＳｔｒｅａｍＣｏｄｉｎｇＩｎｆｏ］に記録することが必要である。
図１９には、これらの新しい符号化データの情報記録領域として、以下の情報記録領域を示している。
ＨＥＶＣ符号化データ関連情報記録領域２２３、
ＭＰＥＧ−４  ＡＡＣ，ＡＬＳ符号化データ関連情報記録領域２２４、
【０１６８】
このように新規の情報記録領域を設定し、画像データについては上述の（１ａ）〜（１ｅ）の各情報、音声データについては、上述の（２ａ）〜（２ｂ）の各情報を記録する。
なお、ＨＥＶＣ画像データについては、上述の（１ａ）〜（１ｅ）の各情報に、さらに追加情報を記録することが好ましい。
ＨＥＶＣ画像データについてのストリームコーディング情報［ＳｔｒｅａｍＣｏｄｉｎｇＩｎｆｏ］記録データの例について、図２１を参照して説明する。
【０１６９】
ＨＥＶＣ画像についてのストリームコーディング情報として記録される情報は、図２１（ａ）に示すように、以下の各情報である。
（１）ビデオフォーマット（ｖｉｄｅｏ＿ｆｏｒｍａｔ）
（２）フレームレート（ｆｒａｍｅ  ｒａｔｅ）
（３）アスペクト比（ａｓｐｅｃｔ＿ｒａｔｉｏ）
（４）映像信号伝達特性（ｖｉｄｅｏ＿ｔｒａｎｓｆｅｒ＿ｃｈａｒａｃｔｅｒｉｓｔｉｃｓ）
【０１７０】
これらの情報は、情報記録媒体（メディア）に記録された画像に関する情報である。さらに、メディア記録画像が、入力画像（オリジナル画像）に対して、例えばフォーマット変換等を実行したデータである場合等、入力画像（オリジナル画像）と異なるフォーマットを有する場合等には、上記の画像情報に加えて、変換前のリジナル画像の情報、すなわち、情報処理装置が放送波等で入力したオリジナル画像に関する情報として、以下の各情報も併せて記録される。
（５）オリジナルビデオフォーマット（ｏｒｉｇｉｎａｌ＿ｖｉｄｅｏ＿ｆｏｒｍａｔ）
（６）オリジナルアスペクト比（ｏｒｉｇｉｎａｌ＿ａｓｐｅｃｔ＿ｒａｔｉｏ）
（７）オリジナル映像信号伝達特性（ｏｒｉｇｉｎａｌ＿ｖｉｄｅｏ＿ｔｒａｎｓｆｅｒ＿ｃｈａｒａｃｔｅｒｉｓｔｉｃｓ）
【０１７１】
図２１（ｂ）は、映像信号伝達特性（ｖｉｄｅｏ＿ｔｒａｎｓｆｅｒ＿ｃｈａｒａｃｔｅｒｉｓｔｉｃｓ）の具体的な記録例と意味を示す図である。
映像信号伝達特性（ｖｉｄｅｏ＿ｔｒａｎｓｆｅｒ＿ｃｈａｒａｃｔｅｒｉｓｔｉｃｓ）として、０〜１５のいずれかの値を設定する。各設定値の意味は以下の通りとする。
０：指定なし
１：ＶＵＩの伝達特性（ｔｒａｎｓｆｅｒ＿ｃｈａｒａｃｔｅｒｉｓｔｉｃｓ）＝１（Ｒｅｃ．ＩＴＵ−Ｒ  ＢＴ．７０９−５）
２：ＶＵＩの伝達特性（ｔｒａｎｓｆｅｒ＿ｃｈａｒａｃｔｅｒｉｓｔｉｃｓ）＝１１（ＩＥＣ  ６１９６６−２−４）
３：ＶＵＩの伝達特性（ｔｒａｎｓｆｅｒ＿ｃｈａｒａｃｔｅｒｉｓｔｉｃｓ）＝４（Ｒｅｃ．ＩＴＵ−Ｒ  ＢＴ．２０２０）
４：ＶＵＩの伝達特性（ｔｒａｎｓｆｅｒ＿ｃｈａｒａｃｔｅｒｉｓｔｉｃｓ）＝６（ＳＭＰＴＥ  ＳＴ  ２０８４）
５：ＶＵＩの伝達特性（ｔｒａｎｓｆｅｒ＿ｃｈａｒａｃｔｅｒｉｓｔｉｃｓ）＝８（ＡＲＩＢ  ＳＴＤ−Ｂ６０７）
６〜１５：リザーブ
【０１７２】
この映像信号伝達特性（ｖｉｄｅｏ＿ｔｒａｎｓｆｅｒ＿ｃｈａｒａｃｔｅｒｉｓｔｉｃｓ）は入力信号値と出力信号との対応関係を示す情報である。
Ｒｅｃ．ＩＴＵ−Ｒ  ＢＴ．７０９−５、ＩＥＣ  ６１９６６−２−４、Ｒｅｃ．ＩＴＵ−Ｒ  ＢＴ．２０２０、ＳＭＰＴＥ  ＳＴ  ２０８４、ＡＲＩＢ  ＳＴＤ−Ｂ６０７は、いずれも入力信号と出力信号との対応関係を示す入出力特性曲線を示しており、それぞれ異なる特性を持つ。
映像信号伝達特性（ｖｉｄｅｏ＿ｔｒａｎｓｆｅｒ＿ｃｈａｒａｃｔｅｒｉｓｔｉｃｓ）の設定値が０〜１５のいずれかに応じて、そのＨＥＶＣ符号化画像の入出力特性を知ることが可能となる。
【０１７３】
図１９を参照して説明したように、クリップ情報ファイルのプログラム情報［ＰｒｏｇｒａｍＩｎｆｏ（）］記録領域内に設定されるストリームコーディング情報［ＳｔｒｅａｍＣｏｄｉｎｇＩｎｆｏ］には、以下のデータが記録される。
（１）画像ストリームコーディング情報２２１、
（２）音声ストリームコーディング情報２２２、
【０１７４】
（１）画像ストリームコーディング情報２２１として記録される情報は、以下の各情報である。
（１ａ）ビデオフォーマット（ｖｉｄｅｏ＿ｆｏｒｍａｔ）
（１ｂ）フレームレート（ｆｒａｍｅ  ｒａｔｅ）
（１ｃ）アスペクト比（ａｓｐｅｃｔ＿ｒａｔｉｏ）
（１ｄ）オリジナルビデオフォーマット（ｏｒｉｇｉｎａｌ＿ｖｉｄｅｏ＿ｆｏｒｍａｔ）
（１ｅ）オリジナルアスペクト比（ｏｒｉｇｉｎａｌ＿ａｓｐｅｃｔ＿ｒａｔｉｏ）
【０１７５】
情報処理装置が、例えば放送波等で受信するデータはＭＭＴフォーマットデータであり、これまでのＢＤＡＶフォーマットでは定義されていないデータ形式の画像データが含まれることになる。
従って、上記（１ａ）〜（１ｅ）の各画像情報についても、ＭＭＴフォーマットデータに格納される画像形式に応じて変更、追加が必要となる。
図２２以下を参照して、この変更例について説明する。
【０１７６】
図２２は、以下のデータ記録領域の変更例を示す図である。
（１ａ）ビデオフォーマット（ｖｉｄｅｏ＿ｆｏｒｍａｔ）
（１ｄ）オリジナルビデオフォーマット（ｏｒｉｇｉｎａｌ＿ｖｉｄｅｏ＿ｆｏｒｍａｔ）
図２２には、以下の記録データ例を示している。
（ｐ）従来の画像フォーマット記録データ
（ｑ）新たな画像フォーマット記録データ
【０１７７】
（ｐ）従来の画像フォーマット記録データは、以下の設定である。
ビット値０〜１５の各々に、４８０ｉ，５７６ｉ，４８０ｐ，１０８０ｐ，７２０ｐ，１０８０ｐの各画像態様を対応付けた設定である。
なお、ｉはイスンタレース型、ｐはプログレッシブ型の画像出力構成を意味し、数値４８０，５７６等は、画像の水平方向画素数を意味する。
１０８０ｐは、水平方向画素数が１０８０画素のプログレッシブ画像である。
【０１７８】
（ｑ）新たな画像フォーマット記録テータは、上記の（ｐ）従来の画像フォーマット記録データに、さらに４Ｋ画像や８Ｋ画像の定義が加された設定である。図に示す以下の追加データ２５１が追加されている。
ビット値：７＝２１６０ｐ
ビット値：８＝４３８０ｐ
２１６０ｐは４Ｋ画像であり、４３８０ｐは８Ｋ画像の画像形式に相当する。
これらは、ＭＭＴフォーマットに従って配信される可能性のある最新の画像形式である。
これらの新たな定義データをＢＤＡＶフォーマットに追加することで、ＭＭＴフォーマットに従って配信される最新形式の画像についてもＢＤＡＶフォーマットで規定されるクリップ情報ファイル中のストリームコーディング情報に正しい画像データ形式（コーディング情報）を記録することが可能となる。
【０１７９】
図２３は、以下のデータ記録領域の変更例を示す図である。
（１ｂ）フレームレート（ｆｒａｍｅ  ｒａｔｅ）
図２３には、以下の記録データ例を示している。
（ｐ）従来のフレームレート記録データ
（ｑ）新たなフレームレート記録データ
【０１８０】
（ｐ）従来のフレームレート記録データは、以下の設定である。
ビット値０〜１５の各々に、フレームレート２４０００／１００１（２３．９７６）〜６０Ｈｚの各画像を対応付けた設定である。
（ｑ）新たなフレームレート記録テータは、上記の（ｐ）従来のフレームレート記録データに、さらに高フレームレートの定義データを追加した設定である。図に示す以下の追加データ２５２が追加されている。
ビット値：９＝１２００００／１００１（１１９．９４）Ｈｚ
ビット値：１０＝１２０Ｈｚ
これらのデータは約１２０Ｈｚの高フレームレートの画像データの定義情報である。
これらは、ＭＭＴフォーマットに従って配信される可能性のある最新の画像形式である。
【０１８１】
これらの新たな定義データをＢＤＡＶフォーマットに追加することで、ＭＭＴフォーマットに従って配信される最新形式の画像についてもＢＤＡＶフォーマットで規定されるクリップ情報ファイル中のストリームコーディング情報に正しい画像データ形式（コーディング情報）を記録することが可能となる。
【０１８２】
図２４は、以下のデータの記録例を示す図である。
（１ｃ）アスペクト比（ａｓｐｅｃｔ＿ｒａｔｉｏ）
（１ｅ）オリジナルアスペクト比（ｏｒｉｇｉｎａｌ＿ａｓｐｅｃｔ＿ｒａｔｉｏ）
このアスペクト比については、ＭＭＴフォーマットに従った配信データも、従来のＢＤＡＶフォーマットの定義データ範囲内であり、特に変更する必要がない。
図２４に示すように、ビット値０〜１５の各々に、アスペクト比として、４：３、１６：９、２．２１：２の各データが記録可能な構成となっている。
【０１８３】
さらに、図１９を参照して説明したように、クリップ情報ファイルのプログラム情報［ＰｒｏｇｒａｍＩｎｆｏ（）］記録領域内に設定されるストリームコーディング情報［ＳｔｒｅａｍＣｏｄｉｎｇＩｎｆｏ］には、
（２）音声ストリームコーディング情報２２２、
が記録される。
【０１８４】
（２）音声ストリームコーディング情報２２２として記録される情報は、以下の各情報である。
（２ａ）音声タイプ（ａｕｄｉｏ＿ｐｒｅｓｅｎｔａｔｉｏｎ＿ｔｙｐｅ）
（２ｂ）サンプリング周波数（ｓａｍｐｌｉｎｇ＿ｆｒｅｑｕｅｎｃｙ）
【０１８５】
これらの各データの記録例について、図２５を参照して説明する。
図２５（ａ）音声タイプ記録データは、ビット値０〜１５に対して、モノチャネル、ステレオ、サラウンド等の様々な音声タイプ情報を識別可能なデータ設定となっている。
図２５（ｂ）サンプリング周波数は、ビット値０〜１５に対して、４８〜１９２ｋＨｚの各サンプリング周波数を識別可能なデータ設定となっている。
これらの音声データ形式については、ＭＭＴフォーマットに従った配信データも現行のＢＤＡＶフォーマットにおける定義データの範囲内であり、特に変更を要しない。
【０１８６】
図１７〜図２５を参照して説明したように、ＢＤＡＶフォーマットにおいて規定されるクリップ情報ファイルには、そのプログラム情報［ＰｒｏｇｒａｍＩｎｆｏ（）］記録領域内に設定されるストリームコーディング情報［ＳｔｒｅａｍＣｏｄｉｎｇＩｎｆｏ］を記録することが必要である。
具体的には、図１９他を参照して説明したように、以下のデータを記録することが要求される。
（１）画像ストリームコーディング情報、
（２）音声ストリームコーディング情報、
なお、図１７〜図２５を参照して説明したように、これらのストリームコーディング情報には、今後、ＭＭＴフォーマットデータにおいて新規に利用されるＨＥＶＣ画像データ対応の情報や、ＭＰＥＧ−４−ＡＡＣ，ＡＬＳ符号化音声データについての情報も記録することが必要となる。
【０１８７】
情報処理装置は、これらのストリームコーディング情報を適用して、再生対象となる画像データや音声データの属性を確認し、確認した画像属性、音声属性に応じた復号処理、再生処理を行なうことが可能となる。
さらに、先に、図９を参照して説明した録画コンテンツ（番組）リストを表示する場合にも、これらの情報をクリップ情報ファイルから取得して表示データを生成することになる。
【０１８８】
例えば放送局からの配信コンテンツ（番組）をＭＭＴフォーマットデータで受信し、受信コンテンツを情報記録媒体（メディア）に記録する情報処理装置は、ＭＭＴフォーマットデータに従った受信データから、上記の画像属性情報（画像ストリームコーディング情報）と、音声属性情報（音声ストリームコーディング情報）に相当する情報を抽出して、これらのデータを記録したクリップ情報ファイルを生成することが必要となる。
【０１８９】
先に図２他を参照して説明したように、ＭＭＴフォーマットデータには、情報処理装置３０側においてコンテンツ（番組）を受信するために必要となる設定情報や、番組ガイド等の案内情報や通知情報、制御情報等によって構成されるシグナリング・メッセージが含まれる。
ＭＭＴフォーマットで規定されたシグナリング・メッセージには、ＭＭＴＰパケットで送信されるシグナリング・メッセージ（ＭＭＴ−ＳＩ）と、ＴＬＶパケットで送信されるシグナリング・メッセージ（ＴＬＶ−ＳＩ）がある。
【０１９０】
ＭＭＴフォーマットデータを受信して、受信データをメディアに記録する情報処理装置３０は、ＭＭＴフォーマットに含まれるＴＬＶ−ＳＩやＭＭＴ−ＳＩ等のシグナリング・メッセージから、上記の画像属性情報（画像ストリームコーディング情報）と、音声属性情報（音声ストリームコーディング情報）に相当する情報に相当するデータを抽出して、これらのデータを記録したクリップ情報ファイルを生成する。
【０１９１】
情報処理装置３０が実行する処理の具体例について、図２６を参照して説明する。
図２６には、情報処理装置３０が受信する（Ａ）ＭＭＴフォーマットデータと、メディアに記録するデータのフォーマットである（Ｂ）ＢＤＡＶフォーマットデータを示している。
【０１９２】
図２６の（Ａ）ＭＭＴフォーマットデータには、
ＭＭＴＰパケットシグナリング・メッセージ（ＭＭＴ−ＳＩ）１３０、
このデータのみを示している。
一方、（Ｂ）のＢＤＡＶフォーマットデータにはクリップ情報フフイル２９０のみを示している。
【０１９３】
図２６（Ｂ）に示すクリップ情報ファイル２９０には、先に図１７〜図２５を参照して説明したように、以下の各情報を記録することが要請される。
画像属性情報として、
（Ｃ１）画像フォーマット（解像度と画像出力形式（ｉ：インタレース／ｐ：プログレッシブ）
（Ｃ２）フレームレート
（Ｃ３）アスペクト比
（Ｃ４）映像信号伝達特性
音声属性情報として、
（Ｃ５）音声タイプ
（Ｃ６）サンプリング周波数
【０１９４】
これらの情報をクリップ情報ファイルに記録するため、情報処理装置３０は、ＭＭＴフォーマットに従って送信されるシグナリング・メッセージ、例えば、図２６（Ａ）に示すシグナリング・メッセージ（ＭＭＴ−ＳＩ）１３０から、上記の画像属性情報、音声属性情報と同様のデータを取得して、クリップ情報ファイル２９０に記録する。
【０１９５】
なお、クリップ情報ファイルに記録する画像属性情報は、先に図１９等を参照して説明したように、情報記録媒体（メディア）に記録した画像データの属性が、元のオリジナルの入力画像の画像属性と異なる場合は、オリジナル画像の属性情報についても記録する必要がある。
例えば、上記の（Ｃ１）〜（Ｃ４）の画像属性についても、同様であり、情報処理装置が入力画像のデータ変換を実行して、入力画像とメディア記録画像とで上記（Ｃ１）〜（Ｃ４）の特性が異なることになった場合は、入力画像とメディア記録画像各々の画像属性をクリップ情報ファイルに記録することになる。
【０１９６】
なお、この場合、オリジナル画像の画像属性情報については、ＭＭＴフォーマットデータのシグナリング・メッセージ（ＭＭＴ−ＳＩ）１３０から取得し、メディア記録データの属性については、変換処理を実行した情報処理装置が、画像属性情報を生成してクリップ情報ファイルに記録する。
【０１９７】
図２６に示すように、クリップ情報ファイル２９０に記録すべき属性情報（Ｃ１）〜（Ｃ６）は、それぞれ、ＭＭＴフォーマットに従って記録された以下のデータ（Ｍ６）〜（Ｍ１３）に対応するデータである。
情報処理装置は、クリップ情報ファイルに記録する（Ｃ１）〜（Ｃ６）の各データについて、以下のように、ＭＭＴフォーマットデータから取得して、クリップ情報ファイルに記録する。
【０１９８】
（Ｃ１）画像フォーマット（解像度と画像出力形式（ｉ：インタレース／ｐ：プログレッシブ）については、
シグナリング・メッセージ（ＭＭＴ−ＳＩ）１３０として送信されるＭＭＴパッケージテーブル（ＭＰＴ）２８０に記録された、
（Ｍ６）解像度、
（Ｍ７）出力方式（ｉ：インタレース／ｐ：プログレッシブ）
これらのデータを取得してクリップ情報ファイル２９０に記録する。
【０１９９】
ＭＭＴフォーマットにおいて規定されたＭＭＴパッケージテーブル（ＭＰＴ：ＭＭＴ  Ｐａｃｋａｇｅ  Ｔａｂｌｅ）２８０は、例えば画像、音声、字幕等、のデータ種類（アセットタイプ）毎に、データの属性情報（アセット記述子）を詳細に記録したテーブルてある。
ＭＭＴパッケージテーブル（ＭＰＴ：ＭＭＴ  Ｐａｃｋａｇｅ  Ｔａｂｌｅ）２８０のデータ構成については後段で説明する。
なお、ＭＭＴパッケージテーブル（ＭＰＴ：ＭＭＴ  Ｐａｃｋａｇｅ  Ｔａｂｌｅ）２８０は、パケットＩＤ＝０ｘ００００のＭＭＴＰパケットに格納されており、情報処理装置は、パケットＩＤに基づいてＭＭＴパッケージテーブル（ＭＰＴ）２８０の格納パケットを判別することができる。
【０２００】
その他、クリップ情報ファイル２９０に記録すべき画像属性情報である、
（Ｃ２）フレームレート
（Ｃ３）アスペクト比
（Ｃ４）映像信号伝達特性
これらのデータについても、やはり、シグナリング・メッセージ（ＭＭＴ−ＳＩ）１３０として送信されるＭＭＴパッケージテーブル（ＭＰＴ）２８０に記録された、
（Ｍ８）フレームレート
（Ｍ９）アスペクト比
（Ｍ１０）映像信号伝達特性
これらのデータを取得してクリップ情報ファイル２９０に記録する。
【０２０１】
さらに、クリップ情報ファイル２９０に記録すべき音声属性情報である、
（Ｃ５）音声タイプ
（Ｃ６）サンプリング周波数
これらのデータについても、やはり、シグナリング・メッセージ（ＭＭＴ−ＳＩ）１３０として送信されるＭＭＴパッケージテーブル（ＭＰＴ）２８０に記録された、
（Ｍ１１）ストリームコンテンツ情報
（Ｍ１２）コンポーネントタイプ
（Ｍ１３）サンプリング周波数
これらのデータを取得してクリップ情報ファイル２９０に記録する。
【０２０２】
このように、ＭＭＴフォーマットに従って配信されるシグナリングデータであるＭＭＴ−ＳＩ１３０には、クリップ情報ファイルファイルに記録すべきコンテンツ（番組）属性情報、すなわち、
（Ｃ１）画像フォーマット（解像度と画像出力形式（ｉ：インタレース／ｐ：プログレッシブ）
（Ｃ２）フレームレート
（Ｃ３）アスペクト比
（Ｃ４）映像信号伝達特性
（Ｃ５）音声タイプ
（Ｃ６）サンプリング周波数
これらの情報に対応する以下の情報が記録されている。
（Ｍ６）解像度、
（Ｍ７）出力方式（ｉ：インタレース／ｐ：プログレッシブ）
（Ｍ８）フレームレート
（Ｍ９）アスペクト比
（Ｍ１０）映像信号伝達特性
（Ｍ１１）ストリームコンテンツ情報
（Ｍ１２）コンポーネントタイプ
（Ｍ１３）サンプリング周波数
【０２０３】
ＭＭＴフォーマットデータを受信してメディアにＢＤＡＶフォーマットデータとして記録する情報処理装置は、ＭＭＴフォーマットデータに含まれるシグナリングデータであるＭＭＴ−ＳＩ１３０から、上記の（Ｍ６）〜（Ｍ１３）の各データを取得して、ＢＤＡＶフォーマットで規定されたクリップ情報ファイル２９０に、これらのデータを格納してメディアに記録する処理を実行する。
【０２０４】
［６−１．ＭＭＴパッケージテーブル（ＭＰＴ：ＭＭＴ  Ｐａｃｋａｇｅ  Ｔａｂｌｅ）について］
まず、ＭＭＴフォーマットデータに含まれるシグナリングデータであるＭＭＴ−ＳＩの構成データであり、上述した画像属性情報、音声属性情報、すなわち、
（Ｍ６）解像度、
（Ｍ７）出力方式（ｉ：インタレース／ｐ：プログレッシブ）
（Ｍ８）フレームレート
（Ｍ９）アスペクト比
（Ｍ１０）映像信号伝達特性
（Ｍ１１）ストリームコンテンツ情報
（Ｍ１２）コンポーネントタイプ
（Ｍ１３）サンプリング周波数
これらの情報を記録したテーブルであるＭＭＴパッケージテーブル（ＭＰＴ：ＭＭＴ  Ｐａｃｋａｇｅ  Ｔａｂｌｅ）の構成について図２７を参照して説明する。
【０２０５】
図２７は、ＭＭＴパッケージテーブル（ＭＰＴ）のデータ構成（シンタクス）を示す図である。
ＭＭＴフォーマットにおいて規定されたＭＭＴパッケージテーブル（ＭＰＴ：ＭＭＴ  Ｐａｃｋａｇｅ  Ｔａｂｌｅ）２８０は、前述したように、例えば画像、音声、字幕等、のデータ種類（アセットタイプ）毎に、データの属性情報（アセット記述子）を詳細に記録したテーブルてある。
【０２０６】
ＭＭＴパッケージテーブル（ＭＰＴ）には、図２７に示すように、
アセットタイプ（ａｓｓｅｔ＿ｔｙｐｅ）
アセット記述子（ａｓｓｅｔ＿ｄｅｓｃｒｉｐｔｏｒｓ＿ｂｙｔｅ）
これらのデータ記録領域が含まれる。
【０２０７】
アセットタイプ（ａｓｓｅｔ＿ｔｙｐｅ）は、画像、音声、字幕等のデータ種類別の識別子を記録する領域である。アセットとは、共通属性を持つデータ処理の単位であり、画像、音声、字幕等は、各々、異なるアセットとして設定される。
ＭＭＴパッケージテーブル（ＭＰＴ）に記録されるアセットタイプ（ａｓｓｅｔ＿ｔｙｐｅ）の具体例を図２８に示す。
【０２０８】
図２８に示すように、ＭＰＴに記録されるアセットタイプ（ａｓｓｅｔ＿ｔｙｐｅ）には、例えば以下の種類がある。
ｈｖｃ１：ＨＥＶＣ画像
ｍｐ４ａ：音声
ｓｔｐｐ：字幕等
ａａｐｐ：アプリケーション
図２７に示すＭＰＴのアセットタイプ（ａｓｓｅｔ＿ｔｙｐｅ）記録フィールドには、例えば上記のいずれかのタイプ情報が記録される。
【０２０９】
図２７のＭＰＴの下段に示す、
アセット記述子（ａｓｓｅｔ＿ｄｅｓｃｒｉｐｔｏｒｓ＿ｂｙｔｅ）
このフィールドには、各アセットタイプ（例えば画像、音声、字幕）、これらのデータ種類に応じた様々な属性情報、例えば画像であれば解像度情報等が記録される。
【０２１０】
先に図２６を参照して説明した画像、音声の属性情報、すなわち、
（Ｍ６）解像度、
（Ｍ７）出力方式（ｉ：インタレース／ｐ：プログレッシブ）
（Ｍ８）フレームレート
（Ｍ９）アスペクト比
（Ｍ１０）映像信号伝達特性
（Ｍ１１）ストリームコンテンツ情報
（Ｍ１２）コンポーネントタイプ
（Ｍ１３）サンプリング周波数
これらの具体的情報は、主に、この「アセット記述子（ａｓｓｅｔ＿ｄｅｓｃｒｉｐｔｏｒｓ＿ｂｙｔｅ）」のフィールドを利用して記録される。
【０２１１】
以下、図２９以下を参照して、ＭＭＴフォーマットデータから上記の各情報（Ｍ６）〜（Ｍ１３）を取得しクリップ情報ファイルファイルに記録する処理の具体例について説明する。
【０２１２】
［６−２．クリップ情報ファイルに対する画像属性情報の記録処理例］
まず、図２９以下を参照してクリップ情報ファイルに記録する画像属性情報の記録処理例について説明する。
【０２１３】
先に図２６を参照して説明したように、クリップ情報ファイルに記録する画像属性情報には、以下の情報がある。
（Ｃ１）画像フォーマット（解像度と画像出力形式（ｉ：インタレース／ｐ：プログレッシブ）
（Ｃ２）フレームレート
（Ｃ３）アスペクト比
（Ｃ４）映像信号伝達特性
【０２１４】
これらの情報をクリップ情報ファイルに記録するため、情報処理装置３０は、ＭＭＴフォーマットに従って送信されるシグナリング・メッセージ、例えば、図２６（Ａ）に示すシグナリング・メッセージ（ＭＭＴ−ＳＩ）１３０に含まれるＭＭＴパッケージテーブル（ＭＰＴ）２８０に記録された以下のデータを取得する。
（Ｍ６）解像度、
（Ｍ７）出力方式（ｉ：インタレース／ｐ：プログレッシブ）
（Ｍ８）フレームレート
（Ｍ９）アスペクト比
（Ｍ１０）映像信号伝達特性
【０２１５】
図２９は、図２７を参照して説明したＭＭＴパッケージテーブル（ＭＰＴ）に記録される画像属性情報を示す図である。
すなわち、図２９は、図２７に示すＭＰＴ中のアセットタイプ（ａｓｓｅｔ＿ｔｙｐｅ）が画像対応のタイプ識別子（ｈｖｃ１）である場合に、
アセット記述子（ａｓｓｅｔ＿ｄｅｓｃｒｉｐｔｏｒｓ＿ｂｙｔｅ）として記録されるデータの一例であり、図２９に示すデータは、ビデオコンポーネント記述子（Ｖｉｄｅｏ＿Ｃｏｍｐｏｎｅｎｔ＿Ｄｅｓｃｒｉｐｔｏｒ）のデータ構成（シンタクス）を示す図である。
なお、ＭＭＴフォーマットで送信される画像データはＨＥＶＣ符号化の施されたＨＥＶＣ画像であり、ビデオコンポーネント記述子（Ｖｉｄｅｏ＿Ｃｏｍｐｏｎｅｎｔ＿Ｄｅｓｃｒｉｐｔｏｒ）には、ＨＥＶＣ画像に関する属性情報が記録される。
【０２１６】
図２９に示すように、ビデオコンポーネント記述子（Ｖｉｄｅｏ＿Ｃｏｍｐｏｎｅｎｔ＿Ｄｅｓｃｒｉｐｔｏｒ）には、以下の画像属性情報が記録される。
（Ｍ６）解像度（ｖｉｄｅｏ＿ｒｅｓｏｌｕｔｉｏｎ）、
（Ｍ７）出力方式（ｉ：インタレース／ｐ：プログレッシブ）（ｖｉｄｅｏ＿ｓｃａｎ＿ｆｌａｇ）
（Ｍ８）フレームレート（ｖｉｄｅｏ＿ｆｒａｍｅ＿ｒａｔｅ）
（Ｍ９）アスペクト比（ｖｉｄｅｏ＿ａｓｐｅｃｔ＿ｒａｔｉｏ）
（Ｍ１０）映像信号伝達特性（ｖｉｄｅｏ＿ｔｒａｎｓｆｅｒ＿ｃｈａｒａｃｔｅｒｉｓｔｉｃｓ）
【０２１７】
情報記録媒体（メディア）に対するデータ記録処理を実行する情報処理装置は、ＭＭＴパッケージテーブル（ＭＰＴ）から、これらの画像属性情報を読み取り、情報記録媒体（メディア）に記録するクリップ情報ファイルに対する記録データ、すなわち、
（Ｃ１）画像フォーマット（解像度と画像出力形式（ｉ：インタレース／ｐ：プログレッシブ）
（Ｃ２）フレームレート
（Ｃ３）アスペクト比
（Ｃ４）映像信号伝達特性
これらの記録データを生成して、クリップ情報ファイルに格納する。
【０２１８】
図２９に示す、ＭＭＴパッケージテーブル（ＭＰＴ）に記録される以下のデータ、すなわち、
（Ｍ６）解像度（ｖｉｄｅｏ＿ｒｅｓｏｌｕｔｉｏｎ）、
（Ｍ７）出力方式（ｉ：インタレース／ｐ：プログレッシブ）（ｖｉｄｅｏ＿ｓｃａｎ＿ｆｌａｇ）
（Ｍ８）フレームレート（ｖｉｄｅｏ＿ｆｒａｍｅ＿ｒａｔｅ）
（Ｍ９）アスペクト比（ｖｉｄｅｏ＿ａｓｐｅｃｔ＿ｒａｔｉｏ）
（Ｍ１０）映像信号伝達特性（ｖｉｄｅｏ＿ｔｒａｎｓｆｅｒ＿ｃｈａｒａｃｔｅｒｉｓｔｉｃｓ）
これらのデータの具体例について図３０以下を参照して説明する。
【０２１９】
図３０は、ＭＭＴパッケージテーブル（ＭＰＴ）に記録される、
（Ｍ６）解像度（ｖｉｄｅｏ＿ｒｅｓｏｌｕｔｉｏｎ）、
の具体例を示す図である。
ＭＭＴパッケージテーブル（ＭＰＴ）には、映像信号解像度情報として、
０〜１５のいずれかのビット値が格納され、各ビット値に応じて１８０〜４３２０のピクセル数（画素数）が対応付けられている。このピクセル数は、画像の水平方向の画素数に対応し、例えばビット値６の２１６０は４Ｋ画像、ビット値７の４３２０は８Ｋ画像に対応する。
【０２２０】
図２９に示すＭＭＴパッケージテーブル（ＭＰＴ）に記録される、
（Ｍ７）出力方式（ｉ：インタレース／ｐ：プログレッシブ）（ｖｉｄｅｏ＿ｓｃａｎ＿ｆｌａｇ）
このデータは、インタレース方式であるかプログレッシブ方式であるかに応じて、０または１のビット値が設定されるフラグである。
【０２２１】
図３１は、図２９に示すＭＭＴパッケージテーブル（ＭＰＴ）に記録される、
（Ｍ８）フレームレート（ｖｉｄｅｏ＿ｆｒａｍｅ＿ｒａｔｅ）
の具体例を示す図である。
ＭＭＴパッケージテーブル（ＭＰＴ）には、フレームレート情報として、
０〜３１のいずれかのビット値が格納され、各ビット値に応じて１５〜１２０のフレームレート（ｆ／ｓｅｃ）が対応付けられている。
【０２２２】
図３２は、図２９に示すＭＭＴパッケージテーブル（ＭＰＴ）に記録される、
（Ｍ９）アスペクト比（ｖｉｄｅｏ＿ａｓｐｅｃｔ＿ｒａｔｉｏ）
の具体例を示す図である。
ＭＭＴパッケージテーブル（ＭＰＴ）には、アスペクト比情報として、
０〜１５のいずれかのビット値が格納され、各ビット値に応じて、４：３〜＞１６：９のアスペクト比が対応付けられている。
【０２２３】
図３３は、図２９に示すＭＭＴパッケージテーブル（ＭＰＴ）に記録される、
（Ｍ１０）映像信号伝達特性（ｖｉｄｅｏ＿ｔｒａｎｓｆｅｒ＿ｃｈａｒａｃｔｅｒｉｓｔｉｃｓ）
の具体例を示す図である。
ＭＭＴパッケージテーブル（ＭＰＴ）には、映像信号伝達特性情報として、
０〜１５のいずれかのビット値が格納され、各ビット値に応じて、ＢＴ．７０９−５、ＳＭＰＴＥ  ＳＴ  ２０８４等の映像信号伝達特性（入出力特性）が対応付けられている。
映像信号伝達特性は、先に図２１を参照して説明したように、入力信号値と出力信号との対応関係を示す情報である。
【０２２４】
このように、ＭＭＴフォーマットデータ中のシグナリング・メッセージ（ＭＭＴ−ＳＩ）に含まれるＭＭＴパッケージテーブル（ＭＰＴ）には、
（Ｍ６）解像度（ｖｉｄｅｏ＿ｒｅｓｏｌｕｔｉｏｎ）、
（Ｍ７）出力方式（ｉ：インタレース／ｐ：プログレッシブ）（ｖｉｄｅｏ＿ｓｃａｎ＿ｆｌａｇ）
（Ｍ８）フレームレート（ｖｉｄｅｏ＿ｆｒａｍｅ＿ｒａｔｅ）
（Ｍ９）アスペクト比（ｖｉｄｅｏ＿ａｓｐｅｃｔ＿ｒａｔｉｏ）
（Ｍ１０）映像信号伝達特性（ｖｉｄｅｏ＿ｔｒａｎｓｆｅｒ＿ｃｈａｒａｃｔｅｒｉｓｔｉｃｓ）
これらの具体的な情報が記録されている。
【０２２５】
情報記録媒体（メディア）に対するデータ記録処理を実行する情報処理装置は、ＭＭＴパッケージテーブル（ＭＰＴ）から、これらの画像属性情報を読み取り、情報記録媒体（メディア）に記録するクリップ情報ファイルに対する記録データ、すなわち、
（Ｃ１）画像フォーマット（解像度と画像出力形式（ｉ：インタレース／ｐ：プログレッシブ）
（Ｃ２）フレームレート
（Ｃ３）アスペクト比
（Ｃ４）映像信号伝達特性
これらの記録データを生成して、クリップ情報ファイルに格納する。
【０２２６】
［６−３．クリップ情報ファイルに対する音声属性情報の記録処理例］
次に、図３４以下を参照してクリップ情報ファイルに記録する音声属性情報の記録処理例について説明する。
【０２２７】
先に図２６を参照して説明したように、クリップ情報ファイルに記録する音声属性情報には、以下の情報がある。
（Ｃ５）音声タイプ
（Ｃ６）サンプリング周波数
【０２２８】
これらの情報をクリップ情報ファイルに記録するため、情報処理装置３０は、ＭＭＴフォーマットに従って送信されるシグナリング・メッセージ、例えば、図２６（Ａ）に示すシグナリング・メッセージ（ＭＭＴ−ＳＩ）１３０に含まれるＭＭＴパッケージテーブル（ＭＰＴ）２８０（図２７参照）に記録された以下のデータを取得する。
（Ｍ１１）ストリームコンテンツ情報
（Ｍ１２）コンポーネントタイプ
（Ｍ１３）サンプリング周波数
これらのデータを取得してクリップ情報ファイル２９０に記録する。
【０２２９】
図３４は、図２７を参照して説明したＭＭＴパッケージテーブル（ＭＰＴ）に記録される音声属性情報を示す図である。
すなわち、図３４は、図２７に示すＭＰＴ中のアセットタイプ（ａｓｓｅｔ＿ｔｙｐｅ）が音声対応のタイプ識別子（ｍｐ４ａ）である場合に、
アセット記述子（ａｓｓｅｔ＿ｄｅｓｃｒｉｐｔｏｒｓ＿ｂｙｔｅ）として記録されるデータの一例であり、図３４に示すデータは、音声コンポーネント記述子（ＭＨ−Ａｕｄｉｏ＿Ｃｏｍｐｏｎｅｎｔ＿Ｄｅｓｃｒｉｐｔｏｒ）のデータ構成（シンタクス）を示す図である。
【０２３０】
図３４に示すように、音声コンポーネント記述子（ＭＨ−Ａｕｄｉｏ＿Ｃｏｍｐｏｎｅｎｔ＿Ｄｅｓｃｒｉｐｔｏｒ）には、以下の音声属性情報が記録される。
（Ｍ１１）ストリームコンテンツ情報
（Ｍ１２）コンポーネントタイプ
（Ｍ１３）サンプリング周波数
【０２３１】
情報記録媒体（メディア）に対するデータ記録処理を実行する情報処理装置は、ＭＭＴパッケージテーブル（ＭＰＴ）から、これらの音声属性情報を読み取り、情報記録媒体（メディア）に記録するクリップ情報ファイルに対する記録データ、すなわち、
（Ｃ５）音声タイプ
（Ｃ６）サンプリング周波数
これらの記録データを生成して、クリップ情報ファイルに格納する。
【０２３２】
図３４に示す、ＭＭＴパッケージテーブル（ＭＰＴ）に記録される以下のデータ、すなわち、
（Ｍ１１）ストリームコンテンツ情報
（Ｍ１２）コンポーネントタイプ
（Ｍ１３）サンプリング周波数
これらのデータの具体例について図３５以下を参照して説明する。
【０２３３】
図３５は、ＭＭＴパッケージテーブル（ＭＰＴ）に記録される、
（Ｍ１１）ストリームコンテンツ情報
の具体例を示す図である。
ＭＭＴパッケージテーブル（ＭＰＴ）には、ストリームコンテンツ情報として、
０ｘ０〜０ｘＦのいずれかのビット値が格納される。各ビット値に応じて、例えば、
ＭＰＥＧ−４  ＡＡＣの音声ストリーム、
ＭＰＥＧ−４  ＡＬＣの音声ストリーム、
これらの音声符号化情報が対応付けられている。
【０２３４】
図３６は、ＭＭＴパッケージテーブル（ＭＰＴ）に記録される、
（Ｍ１２）コンポーネントタイプ
の具体例を示す図である。
ＭＭＴパッケージテーブル（ＭＰＴ）には、コンポーネントタイプ情報として、
０００００〜１１１１１のいずれかのビット値が格納され、各ビット値に応じてモノラル、ステレオ等、様々な音声の出力タイプ（コンポーネントタイプ）が対応付けられている。
【０２３５】
図３７は、ＭＭＴパッケージテーブル（ＭＰＴ）に記録される、
（Ｍ１３）サンプリング周波数
の具体例を示す図である。
ＭＭＴパッケージテーブル（ＭＰＴ）には、サンプリング周波数情報として、
０００〜１１１のいずれかのビット値が格納され、各ビット値に応じて、１６〜４８ｋＨｚのサンプリング周波数が対応付けられている。
【０２３６】
このように、ＭＭＴフォーマットデータ中のシグナリング・メッセージ（ＭＭＴ−ＳＩ）に含まれるＭＭＴパッケージテーブル（ＭＰＴ）には、
（Ｍ１１）ストリームコンテンツ情報
（Ｍ１２）コンポーネントタイプ
（Ｍ１３）サンプリング周波数
これらの具体的な情報が記録されている。
【０２３７】
情報記録媒体（メディア）に対するデータ記録処理を実行する情報処理装置は、ＭＭＴパッケージテーブル（ＭＰＴ）から、これらの音声属性情報を読み取り、情報記録媒体（メディア）に記録するクリップ情報ファイルに対する記録データ、すなわち、
（Ｃ５）音声タイプ
（Ｃ６）サンプリング周波数
これらの記録データを生成して、クリップ情報ファイルに格納する。
【０２３８】
このように、ＭＭＴフォーマットデータを入力し、入力データをＢＤＡＶフォーマットデータとして情報記録媒体（メディア）に記録する情報処理装置は、ＭＭＴフォーマットデータに含まれるシグナリング・メッセージから取得した様々な画像情報、音声情報を取得し、ＢＤＡＶフォーマットで規定されたプレイリストファイル、およびクリップ情報ファイルに、これらの情報を記録する。
【０２３９】
この処理によって、情報記録媒体（メディア）からの画像、音声の復号、再生処理らを正しく実行することが可能となる。
さらに、先に図９を参照して説明した録画コンテンツリストに出力する情報も、プレイリストファイル、およびクリップ情報ファイルから全て取得し、リスト表示を行うことが可能となる。
【０２４０】
［７．情報記録媒体に対するデータ記録処理を実行する情報処理装置の構成と処理について］
次に、図３８以下を参照して情報記録媒体に対するデータ記録処理を実行する情報処理装置の構成と処理について説明する。
【０２４１】
先に説明したように、本開示の情報処理装置は、ＭＭＴフォーマットに従った入力データを、ＢＤＡＶフォーマットデータとして、ＢＤやフラッシュメモリ等の情報記録媒体に記録する。
さらに、このデータ記録処理に際して、プレイリストやクリップ情報ファイル等のデータベースファイルに、メディア記録コンテンツ対応の情報、例えば、図９を参照して説明した録画コンテンツリストとして出力すべき情報や、その他の画像情報、音声情報を記録する。
【０２４２】
これらの情報は、ＭＭＴフォーマットに従った入力データに含まれるシグナリング・メッセージであるＴＬＶ−ＳＩや、ＭＭＴ−ＳＩを構成する様々な情報記録テーブル、具体的には、
ＴＬＶ−ＳＩに含まれる、
ＴＬＶ用ネットワーク情報テーブル（ＴＬＶ−ＮＩＴ）、
ＭＭＴ−ＳＩに含まれる、
イベント情報テーブル（ＭＨ−ＥＩＴ）
ブロードキャスタ情報テーブル（ＭＨ−ＢＩＴ）
ＭＭＴパッケージテーブル（ＭＰＴ）、
これらのテーブルから様々な情報を取得して、ＢＤＡＶフォーマットにおいて規定されるプレイリストやクリップ情報ファイル等のデータベースファイルに、メディア記録コンテンツ対応の情報を記録する。
【０２４３】
以下、このようなプレイリストやクリップ情報ファイルを記録した情報記録媒体の生成処理、具体的には、ＢＤ等の情報記録媒体に対するデータ記録処理を実行する情報処理装置の構成と、処理シーケンスについて説明する。
【０２４４】
図３８は、ＢＤ等の情報記録媒体に対するデータ記録処理を実行する情報処理装置３００の構成を示す図である。
情報処理装置３００は、図２１に示す情報記録媒体（記録メディア）３２０に、ＭＰＥＧ−２ＴＳフォーマットに従った画像データ、さらに、高フレームレート画像関連画像情報を記録したプレイリストやクリップ情報ファイル等のデータベースファイルを記録する。
【０２４５】
データ入力部３０１は、情報記録媒体３２０に対するＭＭＴフォーマットデータ３３１、すなわち画像データ、音声データ、字幕データ等を含むＭＭＴフォーマットデータ３３１を入力する。
データ入力部３０１は、ＭＭＴフォーマットデータ３３１を送信する例えば放送局やコンテンツサーバ等からの送信データを受信する受信部、あるいは、ＭＭＴフォーマットデータ３３１を記録したメディアからのデータ読み取りを実行するメディア読み取り部等によって構成される。
【０２４６】
データ入力部３０１から入力するＭＭＴフォーマットデータ３３１は、先に図２を参照して説明したデータフォーマットに従ったデータであり、例えばＨＥＶＣ画像等の高精細画像データが含まれている。
【０２４７】
ＭＭＴフォーマットデータ３３１は、制御部３０３の制御によって、記憶部３０４に格納される。
ユーザ入力部３０２は、例えば情報記録媒体３２０に対するデータ記録の開始要求等を入力する。
【０２４８】
ユーザ入力部３０２から、データ記録開始要求を入力すると、この入力をトリガとして、記憶部３０４に格納されたＭＭＴフォーマットデータ３３１が、デマルチプレクサ（ＤｅＭＵＸ）３０５に入力される。
デマルチプレクサ（ＤｅＭＵＸ）３０５は、ＭＭＴフォーマットデータ３３１から、画像、音声、字幕等の各データを格納したパケットや、通知情報や制御情報等を格納したシグナリング・メッセージ（ＴＬＶ−ＳＩ，ＭＭＴ−ＳＩ）等の補助情報を取得し、データ種別のパケットに分類し、各パケットを、データ種類に応じて、記録データ生成部３０６の字幕データ生成部３１１、画像データ生成部３１２、音声データ生成部３１３、補助情報生成部３１４に入力する。
【０２４９】
字幕データ生成部３１１は、データ入力部３０１が入力し、記憶部３０４に格納されたＭＭＴフォーマットデータ３３１から、字幕データを取得し、ＢＤＡＶフォーマットにおいて規定されるストリームファイル格納用データを生成する。
画像データ生成部３１２は、データ入力部３０１が入力し、記憶部３０４に格納されたＭＭＴフォーマットデータ３３１から、画像データを取得し、ＢＤＡＶフォーマットにおいて規定されるストリームファイル格納用データを生成する。
音声データ生成部３１３は、データ入力部３０１が入力し、記憶部３０４に格納されたＭＭＴフォーマットデータ３３１から、音声データを取得し、ＢＤＡＶフォーマットにおいて規定されるストリームファイル格納用データを生成する。
【０２５０】
補助情報生成部３１４は、データ入力部３０１が入力し、記憶部３０４に格納されたＭＭＴフォーマットデータ３３１から、通知情報や制御情報等を格納したシグナリング・メッセージ（ＴＬＶ−ＳＩ，ＭＭＴ−ＳＩ）等の補助情報を取得し、ＢＤＡＶフォーマットにおいて規定されるデータベースファイルとしてのプレイリストファイルやクリップ情報ファイルに格納すべきデータを生成する。
【０２５１】
マルチプレクサ（ＭＵＸ）３１５は、字幕データ生成部３１１、画像データ生成部３１２、音声データ生成部３１３が変換した字幕、画像、音声各データを入力し、これらのデータを格納したストリームファイルを生成する。
【０２５２】
データベースファイル生成部３１６は、補助情報生成部３１４がＭＭＴフォーマットデータ３３１のシグナリング・メッセージ（ＴＬＶ−ＳＩ，ＭＭＴ−ＳＩ）から取得した様々な情報を記録したプレイリストファイルやクリップ情報ファイル等のデータベースファイルを生成する。
【０２５３】
具体的には、先に図１２他を参照して説明したように、
ＭＭＴフォーマットデータ３３１のシグナリング・メッセージ（ＴＬＶ−ＳＩ，ＭＭＴ−ＳＩ）から取得した、
（Ｍ１）番組開始時刻
（Ｍ２）ＴＬＶストリームＩＤ
（Ｍ３）事業者名／サービス名
（Ｍ４）イベント名
（Ｍ５）イベント詳細
これらの情報に基づいて、プレイリストファイルに、
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
これらの情報を記録する。
【０２５４】
さらに、図２６他を参照して説明したように、ＭＭＴフォーマットデータ３３１のシグナリング・メッセージ（ＭＭＴ−ＳＩ）から取得した、
（Ｍ６）解像度、
（Ｍ７）出力方式（ｉ：インタレース／ｐ：プログレッシブ）
（Ｍ８）フレームレート
（Ｍ９）アスペクト比
（Ｍ１０）映像信号伝達特性
（Ｍ１１）ストリームコンテンツ情報
（Ｍ１２）コンポーネントタイプ
（Ｍ１３）サンプリング周波数
これらの情報に基づいて、クリップ情報ファイルに、
（Ｃ１）画像フォーマット（解像度と画像出力形式（ｉ：インタレース／ｐ：プログレッシブ）
（Ｃ２）フレームレート
（Ｃ３）アスペクト比
（Ｃ４）映像信号伝達特性
（Ｃ５）音声タイプ
（Ｃ６）サンプリング周波数
これらの情報を記録する。
【０２５５】
記録データ生成部３０６の生成したストリームファイルデータと、プレイリストファイル、クリップ情報ファイル等のデータベースファイルを含む記録データ３３２は、制御部３０３の制御の下、記録部３０６によって、ドライブ３０７を介して情報記録媒体３２０に出力され、記録される。
【０２５６】
次に、図３８に示す情報処理装置３００が実行する情報記録媒体３２０に対するデータ記録処理のシーケンスについて、図３９に示すフローチャートを参照して説明する。
【０２５７】
図３９に示すフローに従った処理は、例えば情報処理装置の記憶部に格納されたプログラムに従って、プログラム実行機能を有するＣＰＵを備えたデータ処理部（制御部）の制御の下で実行することができる。
以下、図３９のフローに示す各ステップの処理について、順次、説明する。
【０２５８】
（ステップＳ１０１）
まず、情報処理装置３００は、ステップＳ１０１において、データ入力部３０１を介して記録用データであるＭＭＴフォーマットデータを入力する。
なお、この記録用データには画像データ、音声データ、字幕データ、さらに、通知情報や制御情報等を格納したシグナリング・メッセージ（ＴＬＶ−ＳＩ，ＭＭＴ−ＳＩ）等が含まれる。
【０２５９】
（ステップＳ１０２）
次に、ステップＳ１０２において、情報処理装置３００は、入力したＭＭＴフォーマットデータから、画像、音声等の再生対象データを取得し、ＢＤＡＶフォーマットに従ったＡＶストリームファイルを生成する。
【０２６０】
（ステップＳ１０３）
次に、ステップＳ１０３において、情報処理装置３００は、入力したＭＭＴフォーマットデータの構成データを利用して、クリップ情報ファイルを生成する。
具体的には、通知情報や制御情報等を格納したシグナリング・メッセージ（ＴＬＶ−ＳＩ，ＭＭＴ−ＳＩ）を利用して、クリップ情報ファイルを生成する。
なお、このステップＳ１０３のクリップ情報ファイル生成処理の詳細については、図４０を参照して、後段で説明する。
【０２６１】
（ステップＳ１０４）
次に、ステップＳ１０４において、情報処理装置３００は、入力したＭＭＴフォーマットデータの構成データを利用して、プレイリストファイルを生成する。
具体的には、例えば、通知情報や制御情報等を格納したシグナリング・メッセージ（ＴＬＶ−ＳＩ，ＭＭＴ−ＳＩ）を利用して、プレイリストファイルを生成する。
なお、このステップＳ１０４のプレイリストファイル生成処理の詳細については、図４１を参照して、後段で説明する。
【０２６２】
（ステップＳ１０５）
次に、ステップＳ１０５において、情報処理装置３００は、入力したＭＭＴフォーマットデータを利用してその他のデータベースファイルを生成する。
納したパケットを選択してメインストリーム対応の画像データを抽出する。
【０２６３】
（ステップＳ１０６）
次に、ステップＳ１０６において、情報処理装置３００は、生成したＡＶストリームファイルとデータベースファイルを利用してＢＤＡＶフォーマットデータを生成する。
【０２６４】
（ステップＳ１０７）
次に、ステップＳ１０７において、情報処理装置３００は、ステップＳ１０６で生成したＢＤＡＶフォーマットデータを情報記録媒体（メディア）に記録する。
【０２６５】
次に、ステップＳ１０３において実行するクリップ情報ファイル生成処理の詳細シーケンスについて、図４０に示すフローチャートを参照して説明する。
図４０に示すフローの各ステップの処理について、順次、説明する。
【０２６６】
（ステップＳ１２１）
まず、ステップＳ１２１において、情報処理装置３００は、シグナリング・メッセージ（ＭＭＴ−ＳＩ）に含まれるＭＰＴ（ＭＭＴパッケージテーブル）を取得する。
【０２６７】
（ステップＳ１２２）
次に、ステップＳ１２２において、情報処理装置３００は、ＭＰＴ（ＭＭＴパッケージテーブル）から、アセットタイプが画像であるデータを選択する。
アセットタイプは、先に、図２７、図２８を参照して説明したように、画像、音声等のデータ種類に応じて異なるタイプ識別子が記録されているＭＰＴのデータ記録領域である。
【０２６８】
（ステップＳ１２３）
次に、ステップＳ１２３において、情報処理装置３００は、ＭＰＴのアセットタイプ＝画像のアセット記述子（ａｓｓｅｔ＿ｄｅｓｃｒｉｐｔｏｒ）から、以下の画像属性情報を取得する。
（Ｍ６）解像度、
（Ｍ７）出力方式（ｉ／ｐ）
（Ｍ８）フレームレート
（Ｍ９）アスペクト比
（Ｍ１０）映像信号伝達特性
これらの情報は、図２６、図２９〜図３３を参照して説明したて情報に相当する。
【０２６９】
（ステップＳ１２４）
次に、ステップＳ１２４において、情報処理装置３００は、ＭＰＴ（ＭＭＴパッケージテーブル）から、アセットタイプが音声であるデータを選択する。
【０２７０】
（ステップＳ１２５）
次に、ステップＳ１２５において、情報処理装置３００は、ＭＰＴのアセットタイプ＝音声のアセット記述子（ａｓｓｅｔ＿ｄｅｓｃｒｉｐｔｏｒ）から、以下の音声属性情報を取得する。
（Ｍ１１）ストリームコンテンツ情報
（Ｍ１２）コンポーネントタイプ
（Ｍ１３）サンプリング周波数
これらの情報は、図２６、図３４〜図３７を参照して説明した情報に相当する。
【０２７１】
（ステップＳ１２６）
次に、ステップＳ１２６において、情報処理装置３００は、ＭＰＴから取得した画像属性情報、
（Ｍ６）解像度、
（Ｍ７）出力方式（ｉ／ｐ）
（Ｍ８）フレームレート
（Ｍ９）アスペクト比
（Ｍ１０）映像信号伝達特性、
さらに、音声属性情報、
（Ｍ１１）ストリームコンテンツ情報
（Ｍ１２）コンポーネントタイプ
（Ｍ１３）サンプリング周波数
これらの情報を利用して、ＢＤＡＶフォーマットにおいて規定されるクリップ情報ファイルの以下の記録情報を生成して記録する処理を実行する。
（Ｃ１）画像フォーマット（解像度と画像出力形式（ｉ／ｐ）
（Ｃ２）フレームレート
（Ｃ３）アスペクト比
（Ｃ４）映像信号伝達特性
（Ｃ５）音声タイプ
（Ｃ６）サンプリング周波数
これらの処理により、所定の画像情報、音声情報が記録されたクリップ情報ファイルが生成される。
【０２７２】
次に、図３９に示すフロー中のステップＳ１０４において実行するプレイリストファイル生成処理の詳細シーケンスについて、図４１に示すフローチャートを参照して説明する。
図４１に示すフローの各ステップの処理について、順次、説明する。
【０２７３】
（ステップＳ１３１）
まず、ステップＳ１３１において、情報処理装置３００は、シグナリング・メッセージ（ＴＬＶ−ＳＩ）に含まれるＴＬＶ用ネットワーク情報テーブル（ＴＬＶ−ＮＩＴ）を取得する。
【０２７４】
（ステップＳ１３２）
次に、ステップＳ１３２において、情報処理装置３００は、シグナリング・メッセージ（ＴＬＶ−ＳＩ）に含まれるＴＬＶ用ネットワーク情報テーシグナリング・メッセージ（ＭＭＴ−ＳＩ）に含まれる、
イベント情報テーブル（ＭＨ−ＥＩＴ）と、
ブロードキャスタ情報テーブル（ＭＨ−ＢＩＴ）、
これらのテーブルを取得する。
【０２７５】
（ステップＳ１３３）
次に、ステップＳ１３３において、情報処理装置３００は、取得した各テーブル（ＴＬＶ−ＮＩＴ，ＭＨ−ＥＩＴ，ＭＨ−ＢＩＴ）から、以下の情報を取得する。
（Ｍ１）番組開始時刻
（Ｍ２）ＴＬＶストリームＩＤ
（Ｍ３）事業者名／サービス名
（Ｍ４）イベント名
（Ｍ５）イベント詳細
これらの情報は、図１２、図１３〜図１７を参照して説明した情報に相当する。
【０２７６】
（ステップＳ１３４）
次に、ステップＳ１３４において、情報処理装置３００は、各テーブル（ＴＬＶ−ＮＩＴ，ＭＨ−ＥＩＴ，ＭＨ−ＢＩＴ）から取得した以下の情報
（Ｍ１）番組開始時刻
（Ｍ２）ＴＬＶストリームＩＤ
（Ｍ３）事業者名／サービス名
（Ｍ４）イベント名
（Ｍ５）イベント詳細
【０２７７】
これらの情報を利用して、プレイリストファイルの以下の記録情報を生成して記録する。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
【０２７８】
これらの処理により、所定の録画コンテンツ情報が記録されたプレイリストファイルが生成される。
【０２７９】
情報処理装置３００は、図３９〜図４１を参照して説明したフローに従った処理を行なうことで、入力したＭＭＴフォーマットデータの画像、音声の属性情報や録画日時、チャンネル等の情報を、ＢＤＡＶフォーマットで規定されるプレイリストファイル、クリップ情報ファイルに確実に記録することが可能となる。
この処理により、再生対象となる画像データや音声データの属性を確認し、確認した画像属性、音声属性に応じた復号処理、再生処理を行なうことが可能となる。
さらに、先に、図９を参照して説明した録画コンテンツ（番組）リストを表示する場合にも、リストに表示すべきデータをプレイリストファイルやクリップ情報ファイルから確実に取得して表示データを生成することが可能となる。
【０２８０】
［８．情報記録媒体からのデータ再生処理を実行する情報処理装置の構成と処理について］
次に、図４２、図４３を参照して情報記録媒体からのデータ再生処理を実行する情報処理装置の構成と処理について説明する。
【０２８１】
再生処理を実行する情報処理装置は、装置に装着した情報記録媒体に記録されたデータの読み取り、再生処理を実行する。
【０２８２】
図４２は、ＢＤ等の情報記録媒体５１０に記録されたデータの再生処理を実行する情報処理装置４００の構成を示す図である。
情報処理装置４００は、図４２に示す情報記録媒体（記録メディア）５１０に記録されたデータを読み取り、出力装置（表示部＋スピーカ）５２０に出力する。なお、出力装置５２０は、例えばテレビ等であり、ディスプレイ、スピーカ等を備えた表示装置である。
なお、情報処理装置４００は先に図３８を参照して説明したデータ記録を行う情報処理装置３００と同一の装置である場合もある。すなわち、データ記録再生の両機能を有する情報処理装置である。
【０２８３】
情報記録媒体（記録メディア）５１０は、図３８〜図４１を参照して説明した処理によって生成されたＡＶストリームファイルと、プレイリスト、クリップ情報ファイル等のデータベースが記録された記録媒体である。
【０２８４】
プレイリストファイルには、前述した以下の情報が記録されている。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
【０２８５】
また、クリップ情報ファイルには、以下の情報が記録されている。
（Ｃ１）画像フォーマット（解像度と画像出力形式（ｉ／ｐ）
（Ｃ２）フレームレート
（Ｃ３）アスペクト比
（Ｃ４）映像信号伝達特性
（Ｃ５）音声タイプ
（Ｃ６）サンプリング周波数
【０２８６】
制御部４０１は、例えば、ユーザ入力部４０２からの再生指示情報の入力に基づいて、情報記録媒体５１０の記録データを、記録再生部４０４、ドライブ４０３を介して読み取り、データバッファとしての記憶部４０５に格納し、その格納データを再生処理部４０６に出力する。
【０２８７】
また、制御部４０１は、ユーザ入力部４０２からの録画コンテンツリスト表示指示情報の入力に基づいて、情報記録媒体５１０の記録データに基づいて、先に図９を参照して説明した録画コンテンツリストを生成して、出力装置（表示部）５２０に出力する。
【０２８８】
再生処理部４０６は、制御部４０１の制御の下、情報記録媒体５１０から読み出された再生データ、すなわち、画像、音声、字幕等の各データを格納したクリップＡＶストリームファイルから各データを取得して再生データを生成する。
【０２８９】
デマルチプレクサ（ＤｅＭＵＸ）４１１は、画像、音声、字幕、さらに、プレイリストファイル、クリップ情報ファイル等の各データを格納したデータ格納パケットを取得し、データ種別のパケットに分類し、各パケットを、データ種類に応じて、字幕データ生成部４１２、画像データ生成部４１３、音声データ生成部４１４、補助情報生成部４１５に出力する。
【０２９０】
字幕データ生成部４１２、画像データ生成部４１３、音声データ生成部４１４は、パケットに格納されたデータの復号処理等を実行し、復号データを出力データ生成部４１６に出力する。
出力データ生成部４１６は、字幕、画像、音声の各データを、入出力インタフェース４０７を介して出力装置（表示部＋スピーカ）５２０に出力する。
【０２９１】
なお、情報記録媒体５１０は、再生対象データを格納したストリームファイルとして、
ＭＰＥＧ−２ＴＳフォーマットデータを格納したストリームファイルと、
ＭＭＴフォーマットデータを格納したストリームファイルを有する場合がある。
この場合、情報処理装置４００は、ＢＤＡＶフォーマットにおいて規定されたプレイリストファイルとクリップ情報ファイルを適用して、ＭＰＥＧ−２ＴＳフォーマットデータを格納したストリームファイル、および、ＭＭＴフォーマットデータを格納したストリームファイルの再生処理を実行することになる。
【０２９２】
補助情報生成部４１５は、例えば、プレイリストファイル、クリップ情報ファイルに格納された録画コンテンツリスト表示用データを取得して図９に示すような録画コンテンツリストを生成し、生成リストが出力装置（表示部＋スピーカ）５２０に出力される。
【０２９３】
出力装置（表示部＋スピーカ）５２０は、情報処理装置４００から入力する字幕、画像、音声等の各データ、さらに録画コンテンツリストを出力装置（表示部＋スピーカ）５２０を介して出力する。
【０２９４】
なお、情報記録媒体５１０は、ＭＭＴフォーマットデータを、ＢＤＡＶフォーマットに従って記録したデータを格納しており、また、情報処理装置４００は、ＢＤＡＶフォーマット規定のデータベースファイルであるプレイリストファイルとクリップ情報ファイルの記録情報を取得して、録画コンテンツリストを生成する。
この処理に際して、情報処理装置４００は、録画コンテンツリスト出力データとして、ＭＭＴフォーマットデータに含まれるシグナリング・メッセージからの抽出データを出力する。
【０２９５】
次に、図４２に示す情報処理装置４００が実行する情報記録媒体５１０からのデータ再生処理のシーケンスについて、図４３に示すフローチャートを参照して説明する。
【０２９６】
図４３に示すフローに従った処理は、例えば情報処理装置４００の記憶部に格納されたプログラムに従って、プログラム実行機能を有するＣＰＵを備えたデータ処理部（制御部）の制御の下で実行することができる。
【０２９７】
なお、図４３に示すフローに従った処理を実行する情報処理装置は、図４２に示す情報処理装置４００であり、情報記録媒体（記録メディア）５１０を装着し、装着した情報記録媒体５１０に記録されたデータを読み取り、出力装置（表示部＋スピーカ）５２０に出力する。なお、出力装置５２０は、例えばテレビ等であり、ディスプレイ、スピーカ等を備えた表示装置である。
【０２９８】
情報記録媒体（記録メディア）５１０は、図３８〜図４１を参照して説明した処理によって生成されたチヒストリームと、プレイリスト、クリップ情報ファイル等のデータベースが記録された記録媒体である。
以下、図４３のフローに示す各ステップの処理について、順次、説明する。
【０２９９】
（ステップＳ２０１）
まず、情報処理装置４００の制御部４０１は、ステップＳ２０１において、プレイリストファイルと、クリップ情報ファイルを取得する。
【０３００】
（ステップＳ２０２）
次に、情報処理装置４００の制御部４０１は、ステップＳ２０２において、プレイリストファイルに記録された下記情報を取得する。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
【０３０１】
（ステップＳ２０３）
次に、情報処理装置４００の制御部４０１は、ステップＳ２０３において、クリップ情報ファイルに記録された下記情報を取得する。
（Ｃ１）画像フォーマット（解像度と画像出力形式（ｉ／ｐ）
（Ｃ２）フレームレート
（Ｃ３）アスペクト比
（Ｃ４）映像信号伝達特性
【０３０２】
（ステップＳ２０４）
次に、情報処理装置４００の制御部４０１は、ステップＳ２０４において、プレイリストファイルと、クリップ情報ファイルからの取得情報に基づいて、録画コンテンツリストを生成して表示する。
具体的には、例えば、先に図９を参照して説明した録画コンテンツリストである。
録画コンテンツリスト出力データとしては、ＭＭＴフォーマットデータに含まれるシグナリング・メッセージからの抽出データが出力される。
【０３０３】
（ステップＳ２０５）
次に、情報処理装置４００の制御部４０１は、ステップＳ２０５において、表示した録画コンテンツリストに対して、ユーザからのコンテンツ指定の再生指示入力の有無を判定する。
ユーザからのコンテンツ指定の再生指示入力があった場合は、ステップＳ２０６に進み、無い場合は、待機する。
【０３０４】
（ステップＳ２０６）
ユーザからのコンテンツ指定の再生指示入力があった場合は、ステップＳ２０６において、再生指示コンテンツに対応付けられたプレイリストファイルと、クリップ情報ファイルを適用してコンテンツ再生処理を実行する。
【０３０５】
先に説明したように、これらプレイリストファイルと、クリップ情報ファイルには画像属性情報、音声属性情報が詳細に記録されており、これらの情報を適用することで、正しい復号処理、再生処理を実行することが可能となる。
【０３０６】
なお、再生対象データとして、ＭＰＥＧ−２ＴＳフォーマットデータを格納したストリームファイルと、ＭＭＴフォーマットデータを格納したストリームファイルが併存する場合、情報処理装置４００は、ＢＤＡＶフォーマットにおいて規定されたプレイリストファイルとクリップ情報ファイルを適用して、ＭＰＥＧ−２ＴＳフォーマットデータを格納したストリームファイル、および、ＭＭＴフォーマットデータを格納したストリームファイルの再生処理を実行する。
【０３０７】
［９．情報処理装置の構成例について］
次に、情報記録媒体に対するデータ記録、情報記録媒体からのデータ再生を実行する情報処理装置として適用可能な情報処理装置のハードウェア構成例について、図４４を参照して説明する。
【０３０８】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０３０９】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０３１０】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０３１１】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０３１２】
［１０．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０３１３】
なお、本明細書において開示した技術は、以下のような構成をとることができる。
（１）  ＭＭＴフォーマットデータを入力し、情報記録媒体に対するデータ記録フォーマットであるＢＤＡＶフォーマットに従った記録データを生成するデータ処理部を有し、
前記データ処理部は、
入力するＭＭＴフォーマットデータから、ＢＤＡＶフォーマット規定のデータベースファイル記録用データを抽出して、データベースファイルを生成する情報処理装置。
【０３１４】
（２）  前記データ処理部は、
前記情報記録媒体に対する記録コンテンツのリストである録画コンテンツリストの表示処理に適用するデータを、ＭＭＴフォーマットデータから抽出し、ＢＤＡＶフォーマット規定のデータベースファイルに記録する処理を実行する（１）に記載の情報処理装置。
【０３１５】
（３）  前記データ処理部は、
ＭＭＴフォーマットデータに含まれるシグナリング・メッセージから、ＢＤＡＶフォーマット規定のデータベースファイル記録用データを抽出して、データベースファイルを生成する（１）または（２）に記載の情報処理装置。
【０３１６】
（４）  前記シグナリング・メッセージは、
ＭＭＴフォーマット規定のＭＭＴ−ＳＩ、またはＴＬＶ−ＳＩである（３）に記載の情報処理装置。
【０３１７】
（５）  前記データベースファイルは、プレイリストファイル、またはクリップ情報ファイルである（１）〜（４）いずれかに記載の情報処理装置。
【０３１８】
（６）  前記データ処理部は、
ＭＭＴフォーマットデータの構成データである、
（ａ）ＴＬＶ用ネットワーク情報テーブル（ＴＬＶ−ＮＩＴ）、
（ｂ）イベント情報テーブル（ＭＨ−ＥＩＴ）、
（ｃ）ブロードキャスタ情報テーブル（ＭＨ−ＢＩＴ）、
上記各テーブルから、ＢＤＡＶフォーマット規定のデータベースファイルであるプレイリストファイルの記録用データを抽出して、プレイリストファイルを生成する（１）〜（５）いずれかに記載の情報処理装置。
【０３１９】
（７）  前記データ処理部は、
前記テーブル（ａ）〜（ｃ）から、前記情報記録媒体記録コンテンツの情報である録画日時、チャンネル番号、チャンネル名、録画番組名、録画番組詳細の少なくともいずれかの情報を取得して、前記プレイリストファイルに記録する（６）に記載の情報処理装置。
【０３２０】
（８）  前記データ処理部は、
ＭＭＴフォーマットデータの構成データである、ＭＭＴパッケージテーブル（ＭＰＴ）から、ＢＤＡＶフォーマット規定のデータベースファイルであるクリップ情報ファイルの記録用データを抽出して、クリップ情報ファイルを生成する（１）〜（７）いずれかに記載の情報処理装置。
【０３２１】
（９）  前記データ処理部は、
前記ＭＭＴパッケージテーブル（ＭＰＴ）から、前記情報記録媒体記録コンテンツの情報である画像属性情報、音声属性情報の少なくともいずれかの情報を取得して、前記プレイリストファイルに記録する（８）に記載の情報処理装置。
【０３２２】
（１０）  前記画像属性情報は、
画像フォーマット、解像度、フレームレート、アスペクト比、映像信号伝達特性の少なくともいずれかの情報を含み、
前記音声属性情報は、
音声タイプ、サンプリング周波数の少なくともいずれかの情報を含む（９）に記載の情報処理装置。
【０３２３】
（１１）  情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記データ処理部は、
ＢＤＡＶフォーマット規定のデータベースファイルであるプレイリストファイルとクリップ情報ファイルの記録情報を取得して、録画コンテンツリストを生成する構成であり、
前記データ処理部は、
前記録画コンテンツリストの出力データとして、前記ＭＭＴフォーマットデータに含まれるシグナリング・メッセージからの抽出データを出力する情報処理装置。
【０３２４】
（１２）  前記録画コンテンツリストの出力データは、
ＭＭＴフォーマットデータの構成データである、
（ａ）ＴＬＶ用ネットワーク情報テーブル（ＴＬＶ−ＮＩＴ）、
（ｂ）イベント情報テーブル（ＭＨ−ＥＩＴ）、
（ｃ）ブロードキャスタ情報テーブル（ＭＨ−ＢＩＴ）、
（ｄ）ＭＭＴパッケージテーブル（ＭＰＴ）
上記テーブルいずれかからの抽出データである（１１）に記載の情報処理装置。
【０３２５】
（１３）  前記情報記録媒体は、
再生対象データを格納したストリームファイルとして、
ＭＰＥＧ−２ＴＳフォーマットデータを格納したストリームファイルと、
ＭＭＴフォーマットデータを格納したストリームファイルを有し、
前記データ処理部は、
ＢＤＡＶフォーマットにおいて規定されたプレイリストファイルとクリップ情報ファイルを適用して、
ＭＰＥＧ−２ＴＳフォーマットデータを格納したストリームファイル、および、ＭＭＴフォーマットデータを格納したストリームファイルの再生処理を実行する（１１）または（１２）に記載の情報処理装置。
【０３２６】
（１４）  情報処理装置において実行する情報処理方法であり、
前記情報処理装置は、
ＭＭＴフォーマットデータを入力し、情報記録媒体に対するデータ記録フォーマットであるＢＤＡＶフォーマットに従った記録データを生成するデータ処理部を有し、
前記データ処理部は、
入力するＭＭＴフォーマットデータから、ＢＤＡＶフォーマット規定のデータベースファイル記録用データを抽出して、データベースファイルを生成する情報処理方法。
【０３２７】
（１５）  情報処理装置において実行する情報記録媒体製造方法であり、
前記情報処理装置は、
ＭＭＴフォーマットデータを入力し、情報記録媒体に対するデータ記録フォーマットであるＢＤＡＶフォーマットに従った記録データを生成するデータ処理部を有し、
前記データ処理部は、
入力するＭＭＴフォーマットデータから、ＢＤＡＶフォーマット規定のデータベースファイル記録用データを抽出して、データベースファイルを生成し、
前記データベースファイルを記録した情報記録媒体を製造する情報記録媒体製造方法。
【０３２８】
（１６）  情報処理装置において実行する情報処理方法であり、
前記情報処理装置は、
情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記データ処理部は、
ＢＤＡＶフォーマット規定のデータベースファイルであるプレイリストファイルとクリップ情報ファイルの記録情報を取得して、録画コンテンツリストを生成し、
前記録画コンテンツリストの出力データとして、前記ＭＭＴフォーマットデータに含まれるシグナリング・メッセージからの抽出データを出力する情報処理方法。
【０３２９】
（１７）  情報処理装置において実行する情報処理を実行させるプログラムであり、
前記情報処理装置は、
ＭＭＴフォーマットデータを入力し、情報記録媒体に対するデータ記録フォーマットであるＢＤＡＶフォーマットに従った記録データを生成するデータ処理部を有し、
前記プログラムは、前記データ処理部に、
入力するＭＭＴフォーマットデータから、ＢＤＡＶフォーマット規定のデータベースファイル記録用データを抽出して、データベースファイルを生成する処理を実行させるプログラム。
【０３３０】
（１８）  情報処理装置において実行する情報処理を実行させるプログラムであり、
前記情報処理装置は、
情報記録媒体の記録データの再生処理を実行するデータ処理部を有し、
前記情報記録媒体は、ＭＭＴフォーマットデータを、ＢＤＡＶフォーマットに従って記録したデータを格納した情報記録媒体であり、
前記プログラムは、前記データ処理部に、
ＢＤＡＶフォーマット規定のデータベースファイルであるプレイリストファイルとクリップ情報ファイルの記録情報を取得して、録画コンテンツリストを生成させ、
前記録画コンテンツリストの出力データとして、前記ＭＭＴフォーマットデータに含まれるシグナリング・メッセージからの抽出データを出力させるプログラム。
【０３３１】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０３３２】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０３３３】
以上、説明したように、本開示の一実施例の構成によれば、ＭＭＴフォーマットデータをＢＤＡＶフォーマットデータとしてメディアに記録し、録画コンテンツリストの表示処理や、ＢＤＡＶ対応アプリによる再生を可能とする構成が実現される。
具体的には、例えば、放送波等を介して入力するＭＭＴフォーマットデータから、ＢＤＡＶフォーマット規定のプレイリストやクリップ情報ファイルの記録用データを抽出して、これらのデータファイルを生成する。例えば録画コンテンツリストの表示に適用するデータを、ＭＭＴフォーマットデータのＭＭＴ−ＳＩやＴＬＶ−ＳＩから抽出し、プレイリストやクリップ情報ファイルに記録する。
本構成により、ＭＭＴフォーマットデータをＢＤＡＶフォーマットデータとしてメディアに記録し、録画コンテンツリストの表示処理や、ＢＤＡＶ対応アプリによる再生を可能とする構成が実現される。
【符号の説明】
【０３３４】
２０  送信装置
２１  放送サーバ
２２  データ配信サーバ
３０  情報処理装置
３１  ＢＤプレーヤ
３２  ＴＶ
３３  ＰＣ
３４  携帯端末
４０  情報記録媒体（メディア）
４１  ＢＤ
４２  ＨＤＤ
４３  フラッシュメモリ
３００  情報処理装置
３０１  データ入力部
３０２  ユーザ入力部
３０３  制御部
３０４  記憶部
３０５  デマルチプレクサ
３０６  記録データ生成部
３０７  記録部
３０８  ドライブ
３１１  字幕データ生成部
３１２  画像データ生成部
３１３  音声データ生成部
３１４  補助情報生成部
３１５  マルチプレクサ
３１６  データベースファイル生成部
３２０  情報記録媒体
４００  情報処理装置
４０１  制御部
４０２  ユーザ入力部
４０３  ドライブ
４０４  記録再生部
４０５  記憶部
４０６  再生処理部
４０７  入出力Ｉ／Ｆ
４１１  デマルチプレクサ
４１２  字幕データ生成部
４１３  画像データ生成部
４１４  音声データ生成部
４１５  補助情報生成部
４１６  出力データ生成部
５１０  情報記録媒体
５２０  出力装置（表示部＋スピーカ）
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2018016294.tif 000003
【図２】
2018016294.tif 000004
【図３】
2018016294.tif 000005
【図４】
2018016294.tif 000006
【図５】
2018016294.tif 000007
【図６】
2018016294.tif 000008
【図７】
2018016294.tif 000009
【図８】
2018016294.tif 000010
【図９】
2018016294.tif 000011
【図１０】
2018016294.tif 000012
【図１１】
2018016294.tif 000013
【図１２】
2018016294.tif 000014
【図１３】
2018016294.tif 000015
【図１４】
2018016294.tif 000016
【図１５】
2018016294.tif 000017
【図１６】
2018016294.tif 000018
【図１７】
2018016294.tif 000019
【図１８】
2018016294.tif 000020
【図１９】
2018016294.tif 000021
【図２０】
2018016294.tif 000022
【図２１】
2018016294.tif 000023
【図２２】
2018016294.tif 000024
【図２３】
2018016294.tif 000025
【図２４】
2018016294.tif 000026
【図２５】
2018016294.tif 000027
【図２６】
2018016294.tif 000028
【図２７】
2018016294.tif 000029
【図２８】
2018016294.tif 000030
【図２９】
2018016294.tif 000031
【図３０】
2018016294.tif 000032
【図３１】
2018016294.tif 000033
【図３２】
2018016294.tif 000034
【図３３】
2018016294.tif 000035
【図３４】
2018016294.tif 000036
【図３５】
2018016294.tif 000037
【図３６】
2018016294.tif 000038
【図３７】
2018016294.tif 000039
【図３８】
2018016294.tif 000040
【図３９】
2018016294.tif 000041
【図４０】
2018016294.tif 000042
【図４１】
2018016294.tif 000043
【図４２】
2018016294.tif 000044
【図４３】
2018016294.tif 000045
【図４４】
2018016294.tif 000046
【国際調査報告】
2018016294.tif 000047
2018016294.tif 000048
2018016294.tif 000049
2018016294.tif 000050